(57)【要約】  ４アンテナポート構成を使用して第２のダウンリンク信号を送信する１つまたは複数の第２のセルトランシーバの存在下で、第１のセルトランシーバから送信された第１のダウンリンク信号を処理するためのデバイス、およびモバイルデバイスにおける方法が、開示される。一実施形態では、モバイルデバイスは、第２のダウンリンク信号によってもたらされる干渉または妨害の影響を改善するように、第１のダウンリンク信号を処理し得る。【選択図】      図４Ｂ
2019503148.tif 000002
【特許請求の範囲】
【請求項１】
ユーザ機器における方法であって、
第１のセルトランシーバから第１のダウンリンク信号を受信することと、前記第１のセルトランシーバが、１または２アンテナポート構成を使用して前記第１のダウンリンク信号を送信し、前記第１のダウンリンク信号が測位基準信号（ＰＲＳ）を備える、
４アンテナポート構成を使用して第２のダウンリンク信号を送信する１つまたは複数の第２のセルトランシーバの存在下で、前記第１のダウンリンク信号の前記ＰＲＳの処理に選択的に影響を及ぼすことと
を備える方法。
【請求項２】
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、請求項１に記載の方法。
【請求項３】
前記第１のダウンリンク信号の前記ＰＲＳの処理に選択的に影響を及ぼすことは、前記第１のダウンリンク信号の前記ＰＲＳが前記４アンテナポート構成を使用して送信されたかのように処理を前記第１のダウンリンク信号の前記ＰＲＳに適用することを備える、請求項１に記載の方法。
【請求項４】
前記第１のダウンリンク信号の前記ＰＲＳが前記４アンテナポート構成を使用して送信されたかのように前記処理を前記第１のダウンリンク信号の前記ＰＲＳに適用することが、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことをさらに備える、請求項３に記載の方法。
【請求項５】
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に基づいて、前記第１のダウンリンク信号の前記ＰＲＳが前記４アンテナポート構成を使用してダウンリンク信号中で送信されたかのように前記処理を前記第１のダウンリンク信号の前記ＰＲＳに選択的に適用することと
をさらに備える、請求項１に記載の方法。
【請求項６】
前記比較は、前記第１の受信信号強度と前記第２の受信信号強度との間の差がしきい値を超えるかどうかを決定することを備える、請求項５に記載の方法。
【請求項７】
ユーザ機器（ＵＥ）であって、
ワイヤレストランシーバと、
前記ワイヤレストランシーバに結合されたプロセッサと
を備え、前記プロセッサは、
第１のセルトランシーバからの受信された第１のダウンリンク信号の少なくとも一部分を前記ワイヤレストランシーバにおいて取得することと、前記第１のセルトランシーバが、１または２アンテナポート構成を使用して前記第１のダウンリンク信号を送信し、前記第１のダウンリンク信号が測位基準信号（ＰＲＳ）を備える、
４アンテナポート構成を使用して第２のダウンリンク信号を送信する１つまたは複数の第２のセルトランシーバの存在下で、前記第１のダウンリンク信号の前記ＰＲＳの処理に選択的に影響を及ぼすことと
を行うように構成された、
ＵＥ。
【請求項８】
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、請求項７に記載のＵＥ。
【請求項９】
前記プロセッサは、前記第１のダウンリンク信号の前記ＰＲＳが前記４アンテナポート構成を使用して送信されたかのように処理を前記第１のダウンリンク信号の前記ＰＲＳに適用することによって、前記第１のダウンリンク信号の前記ＰＲＳの処理に選択的に影響を及ぼすように構成された、請求項７に記載のＵＥ。
【請求項１０】
前記第１のダウンリンク信号の前記ＰＲＳが前記４アンテナポート構成を使用して送信されたかのように前記処理を前記第１のダウンリンク信号の前記ＰＲＳに適用することが、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことをさらに備える、請求項９に記載のＵＥ。
【請求項１１】
前記プロセッサは、
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に基づいて、前記第１のダウンリンク信号の前記ＰＲＳが前記４アンテナポート構成を使用してダウンリンク信号中で送信されたかのように前記処理を前記第１のダウンリンク信号の前記ＰＲＳに選択的に適用することと
を行うようにさらに構成された、請求項７に記載のＵＥ。
【請求項１２】
前記比較は、前記第１の受信信号強度と前記第２の受信信号強度との間の差がしきい値を超えるかどうかの決定を備える、請求項１１に記載のＵＥ。
【請求項１３】
ユーザ機器（ＵＥ）のプロセッサによって、
第１のセルトランシーバからの受信された第１のダウンリンク信号の少なくとも一部分を前記ＵＥにおいて取得することと、前記第１のセルトランシーバが、１または２アンテナポート構成を使用して前記第１のダウンリンク信号を送信し、前記第１のダウンリンク信号が第１の測位基準信号（ＰＲＳ）を備える、
４アンテナポート構成を使用して第２のダウンリンク信号を送信する１つまたは複数の第２のセルトランシーバの存在下で、前記第１のダウンリンク信号の前記ＰＲＳの処理に選択的に影響を及ぼすことと
を行うために実行可能である、その上に記憶されたコンピュータ可読命令を備える非一時的記憶媒体。
【請求項１４】
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、請求項１３に記載の非一時的記憶媒体。
【請求項１５】
前記命令は、前記プロセッサによって、前記第１のダウンリンク信号の前記ＰＲＳが前記４アンテナポート構成を使用して送信されたかのように処理を前記第１のダウンリンク信号の前記ＰＲＳに適用することによって、前記第１のダウンリンク信号の前記ＰＲＳの処理に選択的に影響を及ぼすためにさらに実行可能である、請求項１３に記載の非一時的記憶媒体。
【請求項１６】
前記命令は、前記第１のダウンリンク信号の前記ＰＲＳが前記４アンテナポート構成を使用して送信されたかのように前記処理を前記第１のダウンリンク信号の前記ＰＲＳに適用するためにさらに実行可能であり、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことをさらに備える、請求項１５に記載の非一時的記憶媒体。
【請求項１７】
前記命令は、前記プロセッサによって、
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に基づいて、前記第１のダウンリンク信号の前記ＰＲＳが前記４アンテナポート構成を使用してダウンリンク信号中で送信されたかのように前記処理を前記第１のダウンリンク信号の前記ＰＲＳに選択的に適用することと
を行うためにさらに実行可能である、請求項１３に記載の非一時的記憶媒体。
【請求項１８】
前記比較は、前記第１の受信信号強度と前記第２の受信信号強度との間の差がしきい値を超えるかどうかの決定を備える、請求項１７に記載の非一時的記憶媒体。
【請求項１９】
ユーザ機器（ＵＥ）であって、
第１のセルトランシーバから第１のダウンリンク信号を受信するための手段と、前記第１のセルトランシーバが、１または２アンテナポート構成を使用して前記第１のダウンリンク信号を送信し、前記第１のダウンリンク信号が第１の測位基準信号（ＰＲＳ）を備える、
４アンテナポート構成を使用して第２のダウンリンク信号を送信する１つまたは複数の第２のセルトランシーバの存在下で、前記第１のダウンリンク信号の前記ＰＲＳの処理に選択的に影響を及ぼすための手段と
を備えるＵＥ。
【請求項２０】
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、請求項１９に記載のＵＥ。
【請求項２１】
前記第１のダウンリンク信号の前記ＰＲＳの処理に選択的に影響を及ぼすための前記手段は、前記第１のダウンリンク信号の前記ＰＲＳが前記４アンテナポート構成を使用して送信されたかのように処理を前記第１のダウンリンク信号の前記ＰＲＳに適用するための手段をさらに備える、請求項１９に記載のＵＥ。
【請求項２２】
前記第１のダウンリンク信号の前記ＰＲＳが前記４アンテナポート構成を使用して送信されたかのように前記処理を前記第１のダウンリンク信号の前記ＰＲＳに適用するための前記手段が、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないための手段をさらに備える、請求項２１に記載のＵＥ。
【請求項２３】
第１の受信信号強度を決定するための手段と、ここにおいて、前記第１の受信信号強度が、前記第１のダウンリンク信号から決定される、
第２の受信信号強度を決定するための手段と、ここにおいて、前記第２の受信信号強度が、前記１つまたは複数の第２のセルトランシーバから受信された信号から決定される、
前記第１の受信信号強度と前記第２の受信信号強度との比較に少なくとも部分的に基づいて、前記第１のダウンリンク信号の前記ＰＲＳが前記４アンテナポート構成を使用してダウンリンク信号中で送信されたかのように前記処理を前記第１のダウンリンク信号の前記ＰＲＳに選択的に適用するための手段と
をさらに備える、請求項１９に記載のＵＥ。
【請求項２４】
前記比較は、前記第１の受信信号強度と前記第２の受信信号強度との間の差がしきい値を超えるかどうかの決定を備える、請求項２３に記載のＵＥ。
【発明の詳細な説明】
【技術分野】
【０００１】
関連出願本ＰＣＴ出願は、その全体が参照により本明細書に組み込まれる、２０１５年１１月５日に出願された「Support of OTDOA Positioning Using Mixed Transmission Port Antenna Configurations」と題する米国仮特許出願第６２／２５１，６１４号、および２０１６年９月７日に出願された「Support of OTDOA Positioning Using Mixed Transmission Port Antenna Configurations」と題する米国非仮特許出願第１５／２５８，８９４号の利益および優先権を主張する。
【背景技術】
【０００２】
[0001]ワイヤレス通信システムは、第１世代アナログワイヤレス電話サービス（１Ｇ）、（中間の２．５Ｇネットワークを含む）第２世代（２Ｇ）デジタルワイヤレス電話サービス、ならびに第３世代（３Ｇ）および第４世代（４Ｇ）高速データ／インターネット対応ワイヤレスサービスを含む様々な世代を通じて発展してきた。
【０００３】
[0002]より最近では、モバイルフォンおよび他のモバイル端末のための高速データおよびパケット化音声のワイヤレス通信のための無線アクセスネットワーク技術として、ロングタームエボリューション（ＬＴＥ（登録商標）：Long Term Evolution）が第３世代パートナーシッププロジェクト（３ＧＰＰ（登録商標）：3rd Generation Partnership Project）によって開発されている。ＬＴＥは、モバイル通信用グローバルシステム（ＧＳＭ（登録商標）：Global System for Mobile Communications）システムから、ならびにＧＳＭ進化型高速データレート（ＥＤＧＥ：Enhanced Data rates for GSM Evolution）、ユニバーサルモバイルテレコミュニケーションズシステム（ＵＭＴＳ：Universal Mobile Telecommunications System）、および高速パケットアクセス（ＨＳＰＡ：High-Speed Packet Access）など、ＧＳＭの派生物から進化している。
【０００４】
[0003]北米では、ＬＴＥなど、ワイヤレス通信システムは、緊急発呼者を適切な公共リソースにつなぐ拡張９１１またはＥ９１１のためのソリューションを使用する。このソリューションは、発呼者、すなわち発呼者のユーザ機器（ＵＥ）を、物理的住所または地理的座標などの特定のロケーションに自動的に関連付けようと試みる。高い精度で（たとえば、５０メートル以下の距離誤差で）自動的に発呼者の位置を特定し、そのロケーションを公共安全応答ポイント（ＰＳＡＰ：Public Safety Answering Point）に与えることは、特に発呼者が自分のロケーションを通信することができないことがある（たとえば、そのロケーションを知らないか、または適切に話すことができない）場合、公共安全側が緊急事態中に必要とされるリソースの位置を特定することができる速度を増加させることができる。
【０００５】
[0004]地理的にＵＥの位置を特定するために、いくつかの手法がある。１つは、ワイヤレスネットワーク基地局およびアクセスポイント（ＡＰ）によって送信される信号の、ＵＥによって作成される測定値に基づいて、ならびに／またはＵＥによって送信される信号の、ネットワーク要素（たとえば、基地局および／またはＡＰ）によって作成される測定値に基づいて、何らかの形態の地上無線位置特定（terrestrial radio location）を使用することである。別の手法は、ＵＥ自体に組み込まれた全地球測位システム（ＧＰＳ）受信機またはグローバルナビゲーション衛星システム（ＧＮＳＳ：Global Navigation Satellite System）受信機を使用することである。セルラー電話システムにおける地上無線位置特定は、基地局またはＡＰのペア間の送信タイミング差の、ＵＥによって作成される測定値を使用し得、２つ、あるいはより一般には３つまたはそれ以上のタイミング差測定値に基づいてＵＥの位置を決定するために、三辺測量またはマルチラテレーション技法を採用し得る。
【０００６】
[0005]（ｅノードＢまたはｅＮＢと呼ばれる）ＬＴＥ基地局の測定値に適用可能であり、３ＧＰＰによって３ＧＰＰ技術仕様（ＴＳ）３６．２１１、３６．３０５、および３６．３５５において規格化されている１つのそのような地上無線位置特定方法は、観測到着時間差（ＯＴＤＯＡ：Observed Time Difference of Arrival）である。ＯＴＤＯＡは、ＵＥがいくつかのｅノードＢからの特定の信号間の時間差を測定し、これらの測定値からロケーションをそれ自体で算出するか、あるいは測定された時間差を拡張サービングモバイルロケーションセンター（Ｅ−ＳＭＬＣ：Enhanced Serving Mobile Location Center）にまたはセキュアユーザプレーンロケーション（ＳＵＰＬ：Secure User Plane Location）ロケーションプラットフォーム（ＳＬＰ）に報告し、次いで、それらがＵＥのロケーションを算出するかのいずれかである、マルチラテレーション方法である。いずれの場合も、測定された時間差、ならびにｅノードＢのロケーションおよび相対的な送信タイミングの知識が、ＵＥの位置を計算するために使用される。（ＵＥにおける異なる基地局間の時間差を測定する際の）ＯＴＤＯＡに類似した別の位置方法は、第３世代パートナーシッププロジェクト２（３ＧＰＰ２：3rd Generation Partnership Project 2）によって定義されるようにＣＤＭＡ２０００ネットワークにアクセスしているＵＥの位置を特定するために使用され得る、アドバンストフォワードリンクトリラテラレーション（ＡＦＬＴ：Advanced Forward Link Trilateration）として知られている。
【０００７】
[0006]ＯＴＤＯＡおよびＡＦＬＴベースの測位方法では、ＵＥは、通信ネットワーク内の１つまたは複数の基地局および／またはＡＰから受信された信号についての時間差を測定し得る。測定される基地局およびＡＰについてのロケーション情報は、それらのロケーション（たとえば、ロケーション座標）および送信特性（たとえば、送信タイミング、送信電力、信号コンテンツ、および信号特性）に関するパラメータを含み得、アルマナック、基地局アルマナック（ＢＳＡ：base station almanac）、アルマナックデータ、またはＢＳＡデータと呼ばれることがある。ＵＥあるいはＥ−ＳＭＬＣまたはＳＬＰなどのロケーションサーバのいずれかよってＵＥについての位置を計算するために、ＵＥによって測定される（たとえば、ＯＴＤＯＡまたはＡＦＬＴについての）観測時間差が、測定される基地局（たとえば、ｅノードＢ）および／またはＡＰについての知られているＢＳＡとともに使用され得る。
【０００８】
[0007]請求される主題は、本明細書の結論部分において特に指摘され、明確に請求される。ただし、それの目的、特徴、および／または利点とともに、編成および／または動作方法の両方に関して、以下の詳細な説明を参照して、添付の図面とともに読めば最も良く理解され得る。
【図面の簡単な説明】
【０００９】
【図１】[0008]ユーザ機器の一実施形態の構成要素のブロック図。
【図２】[0009]３ＧＰＰロングタームエボリューション（ＬＴＥ）アクセスを用いた地上測位のための例示的なアーキテクチャの図。
【図３】[0010]一実施形態による、サポート測位のための例示的なワイヤレス通信ネットワークのアーキテクチャの概略図。
【図４Ａ】[0011]一実施形態による、測位をサポートするための例示的なロングタームエボリューション（ＬＴＥ）位置プロトコル（ＬＰＰ）のメッセージフロー図。
【図４Ｂ】[0012]一実施形態による、プロセスの流れ図。
【図５】[0013]一実施形態による、１または２アンテナポートｅノードＢ送信機のためのノーマルサイクリックプレフィックス（ＮＣＰ）測位基準信号（ＰＲＳ：Positioning Reference Signal）およびセル固有基準信号（ＣＲＳ：cell-specific reference signal）の周波数ビン中のシンボルの例示的なマッピングの図。
【図６】[0014]一実施形態による、４アンテナポートｅノードＢ送信機のためのＮＣＰ  ＰＲＳおよびＣＲＳの周波数ビン中のシンボルの例示的なマッピングの図。
【図７】[0015]一実施形態による、１または２アンテナポートｅノードＢ送信機のための拡張サイクリックプレフィックス（ＥＣＰ：extended cyclic pre-fix）ＰＲＳおよびＣＲＳの周波数ビン中のシンボルの例示的なマッピングの図。
【図８】[0016]一実施形態による、４アンテナポートｅノードＢ送信機のためのＥＣＰ  ＰＲＳおよびＣＲＳの周波数ビン中のシンボルの例示的なマッピングの図。
【図９】[0017]不明確セルを使用する測位において使用するためのコンピュータシステムの一実施形態の構成要素のブロック図。
【発明の概要】
【００１０】
[0018]以下の詳細な説明において、本出願の一部を形成する添付の図面に対する参照が行われ、ここにおいて、同様の数字が、対応するおよび／または類似する同様の部分を全体を通して指定し得る。説明の簡単および／または明快などのために、図が必ずしも一定の縮尺で描かれているとは限らないことが諒解されよう。たとえば、いくつかの態様の寸法は、他のものに対して誇張されていることがある。さらに、他の実施形態が利用され得ることを理解されたい。さらに、構造および／または他の変更が、請求される主題から逸脱することなく行われ得る。本明細書全体にわたる「請求される主題」への言及は、１つまたは複数の請求項、またはそれの部分によってカバーされることを意図される主題を指し、必ずしも、完全な請求項セット、請求項セットの特定の組合せ（たとえば、方法クレーム、装置クレームなど）、または特定の請求項を指すことを意図されているとは限らない。また、たとえば、上、下、上部、下部などの方向および／または参照は、図面の説明を容易にするために使用され得、請求される主題の適用を制限するものでないことに留意されたい。したがって、以下の詳細な説明は、請求される主題および／または等価物を限定するためととられるべきでない。
【００１１】
[0019]手短に言えば、特定の実装形態は、第１のセルトランシーバから第１のダウンリンク信号を受信することと、第１のセルトランシーバが、１または２アンテナポート構成を使用して第１のダウンリンク信号を送信し、第１のダウンリンク信号が測位基準信号（ＰＲＳ）を備える、４アンテナポート構成を使用して第２のダウンリンク信号を送信する１つまたは複数の第２のセルトランシーバの存在下で、第１のダウンリンク信号のＰＲＳの処理に選択的に影響を及ぼすこととを備える、ユーザ機器における方法を対象とする。
【００１２】
[0020]別の特定の実装形態は、ワイヤレストランシーバと、ワイヤレストランシーバに結合されたプロセッサとを備えるユーザ機器（ＵＥ）であって、プロセッサは、第１のセルトランシーバからの受信された第１のダウンリンク信号の少なくとも一部分をワイヤレストランシーバにおいて取得することと、第１のセルトランシーバが、１または２アンテナポート構成を使用して第１のダウンリンク信号を送信し、第１のダウンリンク信号が測位基準信号（ＰＲＳ）を備える、４アンテナポート構成を使用して第２のダウンリンク信号を送信する１つまたは複数の第２のセルトランシーバの存在下で、第１のダウンリンク信号のＰＲＳの処理に選択的に影響を及ぼすこととを行うように構成された、ＵＥを対象とする。
【００１３】
[0021]別の特定の実装形態は、ユーザ機器（ＵＥ）のプロセッサによって、第１のセルトランシーバからの受信された第１のダウンリンク信号の少なくとも一部分をＵＥにおいて取得することと、第１のセルトランシーバが、１または２アンテナポート構成を使用して第１のダウンリンク信号を送信し、第１のダウンリンク信号が、第１の測位基準信号（ＰＲＳ）を備える、４アンテナポート構成を使用して第２のダウンリンク信号を送信する１つまたは複数の第２のセルトランシーバの存在下で、第１のダウンリンク信号のＰＲＳの処理に選択的に影響を及ぼすこととを行うために実行可能である、その上に記憶されたコンピュータ可読命令を備える非一時的記憶媒体を対象とする。
【００１４】
[0022]別の特定の実装形態は、第１のセルトランシーバから第１のダウンリンク信号を受信するための手段と、第１のセルトランシーバが、１または２アンテナポート構成を使用して第１のダウンリンク信号を送信し、第１のダウンリンク信号が第１の測位基準信号（ＰＲＳ）を備える、４アンテナポート構成を使用して第２のダウンリンク信号を送信する１つまたは複数の第２のセルトランシーバの存在下で、第１のダウンリンク信号のＰＲＳの処理に選択的に影響を及ぼすための手段とを備えるユーザ機器（ＵＥ）を対象とする。
【００１５】
[0023]上述の実装形態は例示的な実装形態にすぎず、請求される主題は、必ずしもこれらの例示的な実装形態の特定の態様に限定されるとは限らないことを理解されたい。
【発明を実施するための形態】
【００１６】
[0024]本明細書全体にわたる一実装形態、実装形態、一実施形態、実施形態などへの言及は、特定の実装形態および／または実施形態に関して説明された特定の特徴、構造、特性などが、請求される主題の少なくとも１つの実装形態および／または実施形態に含まれることを意味する。したがって、たとえば、本明細書全体にわたる様々な箇所でのそのような句の出現は、必ずしも同じ実装形態および／または実施形態あるいは特定の一実装形態および／または実施形態を指すことを意図されるとは限らない。さらに、説明される特定の特徴、構造、特性などは、１つまたは複数の実装形態および／または実施形態では、様々な方法で組み合わせられることが可能であり、したがって、意図された特許請求の範囲内にあることを理解されたい。概して、もちろん、特許出願の明細書の場合に常にそうであるように、これらおよび他の問題は、使用の特定のコンテキストにおいて変動する可能性を有する。言い換えれば、本特許出願全体にわたって、説明および／または使用の特定のコンテキストは、引き出されるべき妥当な推論に関する有用なガイダンスを与えるが、同様に、概してさらなる修飾なしの「このコンテキストにおいて」は、本特許出願のコンテキストを指す。
【００１７】
[0025]無線信号の収集による測位をサポートするための技法が説明される一実施形態によれば、ワイヤレス通信ネットワークは、１つまたは複数のアンテナ、１つまたは複数のリモートラジオヘッド（ＲＲＨ）、リピータまたはリレーを採用する、あるいは同じ測位基準信号（ＰＲＳ）をブロードキャストする、１つまたは複数のセルラートランシーバを含んでいることがある。受信機を備えるモバイルデバイスは、到着時間（ＴＯＡ：time of arrival）または基準信号時間差（ＲＳＴＤ：reference signal time difference）測定値など、１つまたは複数の近くのセルトランシーバによって送信されたＰＲＳの観測値を取得し得る。３つまたはそれ以上のＰＲＳから送信されたＰＲＳの到着時間の観測値に少なくとも部分的に基づいて、モバイルデバイスの推定ロケーションが、たとえば、ＯＴＤＯＡを含むいくつかの技法のうちのいずれか１つを使用して算出され得る。
【００１８】
[0026]一実施形態によれば、ＰＲＳが、セルトランシーバによって１または２アンテナポート構成あるいは４アンテナポート構成を使用してダウンリンク中で送信され得る。いくつかのシナリオでは、第１のセルトランシーバによって４アンテナポート構成を使用して送信された第１のダウンリンク信号の部分が、受信機において、４アンテナポート構成を使用して第２のダウンリンク信号中で送信されたＰＲＳの部分に干渉し、またはそれを妨害し得る。特定の実装形態では、第１のセルトランシーバによって１または２アンテナポート構成を使用して第１のダウンリンク信号中で送信されたＰＲＳの受信機における処理は、４アンテナポート構成を使用して第２のダウンリンク信号を送信する第２のセルトランシーバの存在下で変更され得る。
【００１９】
[0027]ＵＥは、位置フィックス（position fix）を算出するために、異なるロケーションから送信された十分な数のＰＲＳの観測値を取得し得る。測位支援データは、（たとえば、複数のセルトランシーバの指示を含む）測位支援データが測定値の要求とともに与えられ得るように、ＵＥに与えられ得る。ＵＥは、ロングタームエボリューション（ＬＴＥ）ネットワークと、セルトランシーバによって送信されたＰＲＳの少なくとも１つの観測値とにアクセスするように構成され得る。そのような観測値は、観測到着時間差（ＯＴＤＯＡ）測位方法のためのＲＳＴＤ測定値を備え得る。セルトランシーバは、基準セルまたは近隣セルを備え得る。測位支援データをＵＥに与えることは、ＬＴＥ測位プロトコル（ＬＰＰ：LTE Positioning Protocol）支援データ提供（Provide Assistance Data）メッセージをＵＥに送ることを含み得る。サービングセルは、ＵＥからのＬＰＰロケーション情報提供（Provide Location Information）メッセージを介して、ＵＥから測定データを受信し得る。ＵＥの現在位置を計算することは、アルマナックデータに基づき得る。
【００２０】
[0028]本明細書で説明される項目および／または技法は、以下の機能のうちの１つまたは複数、ならびに言及されていない他の機能を与え得る。複数のセルトランシーバの指示を含む測位支援データが、ロケーションサーバからＵＥに与えられ得る。ＵＥは、測位支援データに基づいてＲＳＴＤ測定値を決定し得る。このコンテキストにおいて、「測位支援データ」または「測位支援パラメータ」は、モバイルデバイスの推定ロケーションを取得する際に、またはモバイルデバイスのロケーションを示す１つまたは複数の測定値を取得する際にモバイルデバイスによって適用され得る、１つまたは複数の値、パラメータ、指示、推論などを備える。このコンテキストにおいて、測位支援データまたは測位支援パラメータは、値、パラメータ、指示、推論などを表すメモリ状態または信号としてメモリに記憶された信号を備える。一実装形態では、測位支援データは、ロケーションサーバからの１つまたは複数のメッセージ中でモバイルデバイスに与えられ得る。ただし、これは、モバイルデバイスが測位支援データをどのように取得し得るかの一例にすぎず、請求される主題は、この点において限定されない。ロケーションサーバまたはＵＥは、ＵＥについての現在のロケーション推定値を決定するために、ＲＳＴＤ測定値を処理し得る。現在のロケーション推定値は、１つまたは複数のセルから収集されたＰＲＳから取得されたＲＳＴＤ測定値に少なくとも部分的に基づき得る。
【００２１】
[0029]本明細書でユーザ機器（ＵＥ）と呼ばれるクライアントデバイスは、モバイルまたは固定であり得、無線アクセスネットワーク（ＲＡＮ）と通信し得る。本明細書で使用される「ＵＥ」という用語は、互換的に、「アクセス端末」または「ＡＴ」、「ワイヤレスデバイス」、「加入者デバイス」、「モバイルデバイス」、「加入者端末」、「加入者局」、「ユーザ端末」またはＵＴ、「モバイル端末」、「移動局」、ＳＵＰＬ対応端末（ＳＥＴ：SUPL enabled terminal）、ターゲットデバイス、ターゲットＵＥ、およびそれらの変形形態と呼ばれることがある。ＵＥは、セルフォン、スマートフォン、ラップトップ、タブレット、アセットタグ、ＰＤＡ、または直接の手段を介して、および／あるいは１つまたは複数のネットワークまたは１つまたは複数のネットワーク要素を介して、他のＵＥおよび／または他のエンティティとワイヤレスに通信することを可能にされた任意の他のデバイスを備え得る。一実施形態では、ＵＥは、ＲＡＮを介してコアネットワークと通信し得、コアネットワークを通して（または時々、ＲＡＮを通して）、ＵＥは、インターネットなどの外部ネットワークと接続され得る。ＲＡＮは、３ＧＰＰによって定義されたＧＳＭ、ＵＭＴＳ、およびＬＴＥ、または３ＧＰＰ２によって定義されたＣＤＭＡ２０００などのセルラーベースの無線技術を使用して、ＵＥからのワイヤレス通信をサポートし得る。ＵＥはまた、ワイヤードアクセスネットワーク、（たとえば、ＩＥＥＥ８０２．１１などに基づく）ＷｉＦｉ（登録商標）ネットワーク、Ｂｌｕｅｔｏｏｔｈ（登録商標）ネットワークなどを介してなど、コアネットワークおよび／またはインターネットに接続するための他のメカニズムを採用し得る。ＵＥは、限定はしないが、ＰＣカード、コンパクトフラッシュ（登録商標）デバイス、外部または内部モデム、ワイヤレスまたはワイヤラインフォンなどを含む、いくつかのタイプのデバイスのいずれかによって実施され得る。ＵＥがそれを通してＲＡＮに信号を送信し得る通信リンクは、「アップリンク」チャネル（たとえば、逆方向トラフィックチャネル、逆方向制御チャネル、アクセスチャネルなど）と呼ばれることがある。ＲＡＮがそれを通してＵＥに信号を送ることができる通信リンクは、「ダウンリンクチャネル」または「順方向リンクチャネル」（たとえば、ページングチャネル、制御チャネル、ブロードキャストチャネル、順方向トラフィックチャネルなど）と呼ばれることがあり、「ダウンリンク信号」中で送信され得る。
【００２２】
[0030]ＵＥの推定ロケーションは、ロケーション推定値、位置、位置推定値、位置フィックスまたはフィックスと呼ばれるか、あるいはいくつかの他の名称によって呼ばれることがあり、緯度、経度、および場合によっては高度などのロケーション座標として表され得る。場合によっては、ロケーション座標は局所的であり得、その場合、ｘ、ｙ、およびｚ（またはＸ、Ｙ、およびＺ）座標と呼ばれることがあり、ただし、ｘ（または、Ｘ）座標は特定の方向における水平距離（たとえば、所与の知られている起点の東または西の距離）を指し、ｙ（または、Ｙ）座標はｘ（または、Ｘ）方向に対する直角における水平距離（たとえば、所与の知られている起点の北または南の距離）を指し、ｚ（または、Ｚ）座標は垂直距離（たとえば、局所的な地上レベルの上または下の距離）を指す。ＵＥのロケーションを算出するとき、局所的なｘ、ｙ、および場合によってはｚ座標の値を求め、次いで、必要な場合、局所的な座標を（たとえば、緯度、経度、および平均海面の上または下の高度に対する）絶対的な座標に変換することが一般的である。
【００２３】
[0031]一実施形態によれば、セルトランシーバが、たとえば、異なる数のアンテナポートおよび関連するＰＲＳ符号化を採用するなど、ダウンリンク信号を送信するために多様なアンテナ構成を採用する環境において、ＵＥが動作し得る。例示的な実装形態では、第１のセルトランシーバによって４アンテナポートを使用して送信された第１のダウンリンク信号中の第１のＰＲＳが、ＵＥにおいて、第２のセルトランシーバによって送信された第２のダウンリンク信号中の第２のＰＲＳの少なくとも一部分を妨害し、またはそれに干渉し得る。以下で説明されるように特定の実装形態では、干渉／妨害に対処するために、ＵＥにおける、１または２アンテナポートを使用して第１のダウンリンク信号中で送信されたＰＲＳの処理が、４アンテナポートを使用して第２のダウンリンク信号中で送信された１つまたは複数のダウンリンク信号の存在下で、影響を及ぼされるか、または変更され得る。
【００２４】
[0032]図１を参照すると、本明細書の様々な技法が利用され得るユーザ機器（ＵＥ）１００が示される。ＵＥ１００は、プロセッサ１１１（または、プロセッサコア）とメモリ１４０とを含む。ＵＥ１００は、随意に、パブリックバス１０１またはプライベートバス（図示せず）によってメモリ１４０に動作可能に接続された信頼環境（trusted environment）を含み得る。ＵＥ１００はまた、通信インターフェース１２０と、ワイヤレス通信ネットワーク上でワイヤレスアンテナ１２２を介してワイヤレス信号１２３を送信および受信するように構成されたワイヤレストランシーバ１２１とを含み得る。ワイヤレストランシーバ１２１はバス１０１に接続される。ここで、ＵＥ１００は、単一のワイヤレストランシーバ１２１を有するものとして示されている。しかしながら、ＵＥ１００は、Ｗｉ−Ｆｉ（登録商標）、ＣＤＭＡ、ワイドバンドＣＤＭＡ（ＷＣＤＭＡ（登録商標））、ロングタームエボリューション（ＬＴＥ）、Ｂｌｕｅｔｏｏｔｈ短距離ワイヤレス通信技術などの複数の通信規格をサポートするために、複数のワイヤレストランシーバ１２１およびワイヤレスアンテナ１２２を代替的に有することができる。
【００２５】
[0033]通信インターフェース１２０および／またはワイヤレストランシーバ１２１は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、直交周波数分割多元接続（ＯＦＤＭＡ）信号、シングルキャリア周波数分割多元接続（ＳＣ−ＦＤＭＡ）信号などであり得る。被変調信号は、異なるキャリア上で送信され得、パイロット、オーバーヘッド情報、データなどを搬送し得る。
【００２６】
[0034]ＵＥ１００はまた、ユーザインターフェース１５０（たとえば、ディスプレイ、ＧＵＩ）と、ＳＰＳアンテナ１５８を介して（たとえば、ＳＰＳ衛星から）ＳＰＳ信号１５９を受信する衛星測位システム（ＳＰＳ：Satellite Positioning System）受信機１５５とを含み得る。ＳＰＳ受信機１５５は、単一のグローバルナビゲーション衛星システム（ＧＮＳＳ）、または複数のそのようなシステムと通信することができる。ＧＮＳＳは、限定はしないが、全地球測位システム（ＧＰＳ）、Ｇａｌｉｌｅｏ、Ｇｌｏｎａｓｓ、Ｂｅｉｄｏｕ（Ｃｏｍｐａｓｓ）などを含むことができる。ＳＰＳ衛星は、衛星、スペースビークル（ＳＶ：space vehicles）などとも呼ばれる。ＳＰＳ受信機１５５は、ＳＰＳ信号１５９を測定し、ＵＥ１００のロケーションを決定するためにＳＰＳ信号１５９の測定値を使用し得る。プロセッサ１１１、メモリ１４０、ＤＳＰ１１２、および／または（１つまたは複数の）専用プロセッサ（図示せず）も、ＳＰＳ信号１５９を全体的または部分的に処理するために、および／またはＵＥ１００のロケーションを計算するために、ＳＰＳ受信機１５５とともに利用され得る。代替として、ＵＥ１００は、代わりにＵＥロケーションを算出するロケーションサーバ（たとえば、Ｅ−ＳＭＬＣ）へのＳＰＳ測定値の転送をサポートし得る。ＳＰＳ信号１５９または他のロケーション信号からの情報の記憶は、メモリ１４０またはレジスタ（図示せず）を使用して実行される。図１には１つのプロセッサ１１１、１つのＤＳＰ１１２、および１つのメモリ１４０のみが示されているが、これらの構成要素のいずれか、ペア、またはすべてのうちの２つ以上が、ＵＥ１００によって使用され得る。ＵＥ１００に関連するプロセッサ１１１およびＤＳＰ１１２は、バス１０１に接続される。
【００２７】
[0035]メモリ１４０は、（１つまたは複数の）ＤＳＰ１１２、（１つまたは複数の）汎用プロセッサ１１１、またはその両方による実行のために取出し可能である１つまたは複数の命令またはコードとしてプロシージャを記憶する、非一時的コンピュータ可読記憶媒体（またはメディア）を含むことができる。メモリ１４０を構成することができる媒体は、限定はしないが、ＲＡＭ、ＲＯＭ、ＦＬＡＳＨ、ディスクドライブなどを含む。概して、メモリ１４０によって記憶された機能は、（１つまたは複数の）汎用プロセッサ１１１、専用プロセッサ、または（１つまたは複数の）ＤＳＰ１１２によって実行される。したがって、メモリ１４０は、説明されるプロシージャを（１つまたは複数の）プロセッサ１１１および／または（１つまたは複数の）ＤＳＰ１１２に実行させるように構成されたソフトウェア（プログラミングコード、命令など）を記憶するプロセッサ可読メモリおよび／またはコンピュータ可読メモリである。代替的に、ＵＥ１００の１つまたは複数の機能は、ハードウェアで全体的にまたは部分的に実行され得る。
【００２８】
[0036]ＵＥ１００は、視界内の他の通信エンティティおよび／またはＵＥ１００にとって利用可能な情報に基づいて、関連するシステム内でのそれの現在位置を様々な技法を使用して推定することができる。たとえば、ＵＥ１００は、１つまたは複数のワイヤレスローカルエリアネットワーク（ＷＬＡＮ）に関連するアクセスポイント（ＡＰ）、ＢｌｕｅｔｏｏｔｈまたはＺｉｇＢｅｅ（登録商標）などの短距離ワイヤレス通信技術を利用するパーソナルエリアネットワーク（ＰＡＮ）、グローバルナビゲーション衛星システム（ＧＮＳＳ）または他の衛星測位システム（ＳＰＳ）衛星から取得された情報、および／あるいはマップサーバまたはＬＣＩサーバから取得されたマップ制約データを使用して、それの位置を推定し得る。いくつかの場合には、Ｅ−ＳＭＬＣ、ＳＬＰ、またはスタンドアロンサービングモバイルロケーションセンター（ＳＡＳ）であり得るロケーションサーバは、ＵＥ１００がロケーション関係測定値（たとえば、ＷＬＡＮ  ＡＰ、セルラー基地局、ＧＮＳＳ衛星の測定値）を作成することを可能にするかまたは支援するために、支援データをＵＥ１００に与え得る。ＵＥ１００は、次いで、ロケーション推定値を算出するために測定値をロケーションサーバに与え得るか（「ＵＥ支援型」測位として知られていることがある）、または測定値に基づいて、場合によってはロケーションサーバによって与えられた（たとえば、ＯＴＤＯＡプロセスおよびＡＦＬＴプロセスにおいて使用するための、ＧＮＳＳ衛星に対する軌道データおよびタイミングデータ、あるいはＷＬＡＮ  ＡＰおよび／またはセルラー基地局の精密なロケーション座標などの）他の支援データにも基づいて、ロケーション推定値をそれ自体で算出し得る（「ＵＥベース」測位として知られていることがある）。
【００２９】
[0037]図１をさらに参照しながら図２を参照すると、ネットワーク２５０のための３ＧＰＰロングタームエボリューション（ＬＴＥ）アクセスを用いたＵＥ１００の測位をサポートするためのアーキテクチャ２００が示される。ネットワーク２５０は、（たとえば、ＵＥ１００による）ＬＴＥアクセスと、場合によってはＣＤＭＡ２０００、広帯域ＣＤＭＡ（ＷＣＤＭＡ）、および／またはＷｉＦｉなどの他のアクセスタイプ（図２に図示せず）とをサポートする発展型パケットシステム（ＥＰＳ）であり得る。ＵＥ１００は、ネットワーク２５０から通信サービスを取得するために無線アクセスネットワーク（ＲＡＮ）中のサービング発展型ノードＢ（ｅノードＢまたはｅＮＢ）２０２と通信し得る。ＲＡＮは、簡単のために図２に示されていない他のネットワークエンティティを含み得、発展型ユニバーサル地上波無線アクセスネットワーク（Ｅ−ＵＴＲＡＮ）と呼ばれることもある。ｅＮＢ２０２は、ノードＢ、基地局、アクセスポイントなどと呼ばれることもある。ＵＥ１００は、（ｉ）ｅＮＢ２０２から、ならびにネットワーク２５０の中の他の基地局（たとえば、他のｅＮＢ）およびＡＰから信号を受信し、（ｉｉ）受信信号からソースｅＮＢおよび他の基地局の識別情報またはソースセルの識別情報を取得し、ならびに／あるいは（ｉｉｉ）到着時間（ＴＯＡ）、ＯＴＤＯＡ測位のためのＲＳＴＤ、ＡＦＬＴ測位のためのパイロット位相、および／または信号強度（たとえば、受信信号強度指示（ＲＳＳＩ：received signal strength indication））、信号品質（たとえば、信号対雑音比（Ｓ／Ｎ））、および／または拡張セルＩＤ（ＥＣＩＤ：enhanced cell ID）測位のための信号ラウンドトリップ伝搬時間（ＲＴＴ：round trip propagation time）の測定値など、受信信号の測定値を取得し得る。ＵＥ１００についてのロケーション推定値を（たとえば、ＵＥ１００によって、あるいはＥ−ＳＭＬＣ２０８またはＳＬＰ２３２などのロケーションサーバによって）導出するために、ｅＮＢ、基地局および／またはセル識別情報、ならびに異なる信号測定値が使用され得る。図２には１つのｅＮＢ２０２のみが示されているが、アーキテクチャ２００（たとえば、ネットワーク２５０）は、分散アンテナシステム（ＤＡＳ）、リモートラジオヘッド（ＲＲＨ）、リピータ、およびリレーとともに使用されるような１つまたは複数のアンテナシステムをそれぞれもつ、複数のｅＮＢおよび／または他の基地局および／またはＡＰを含み得る。
【００３０】
[0038]ｅＮＢ２０２は、モビリティ管理、ゲートウェイ選択、認証、ベアラ管理などの様々な制御機能を実行し得る、ＵＥ１００のためのサービングＭＭＥ２０４と通信し得る。ＭＭＥ２０４は、発展型サービングモバイルロケーションセンター（Ｅ−ＳＭＬＣ）２０８およびゲートウェイモバイルロケーションセンター（ＧＭＬＣ：Gateway Mobile Location Center）２０６と通信し得る。Ｅ−ＳＭＬＣ２０８は、ＵＥ１００を含むＵＥのためのＵＥベース、ＵＥ支援型、ネットワークベース、および／またはネットワーク支援型の測位方法をサポートし得、１つまたは複数のＭＭＥをサポートし得る。Ｅ−ＳＭＬＣ２０８は、３ＧＰＰ技術仕様（ＴＳ）２３．２７１および３６．３０５において定義されたＬＴＥアクセスのための３ＧＰＰ制御プレーンロケーションソリューションをサポートし得る。Ｅ−ＳＭＬＣ２０８は、ロケーションサーバ（ＬＳ）、スタンドアロンＳＭＬＣ（ＳＡＳ）などと呼ばれることもある。ＧＭＬＣ２０６は、ロケーションサービスをサポートするための様々な機能を実行し得、加入者プライバシー、許可、認証、課金などのサービスを提供し得る。ロケーションルーティング機能（ＬＲＦ）２３０は、ＧＭＬＣ２０６と通信し得、ｉ３  ＥＳＩｎｅｔ２４２およびｉ３  ＰＳＡＰ２４４などの公共安全応答ポイント（ＰＳＡＰ）、ならびにレガシーＥＳネットワーク２４６およびレガシーＰＳＡＰ２４８などのレガシーシステムへのＩＰベースの緊急呼をルーティング、またはルーティングするのを支援し得る。ＬＲＦ２３０はまた、緊急呼を行っているＵＥ（たとえば、ＵＥ１００）についてのＰＳＡＰ（たとえば、ＰＳＡＰ２４４および２４８）からのロケーション要求をサポートし得、これらのＵＥについてのロケーションを取得し、要求元ＰＳＡＰにロケーションを返し得る。ＬＲＦ２３０が実行するルーティングおよびロケーション機能をサポートするために、ＬＲＦ２３０は、異なるターゲットＵＥ（たとえば、ＵＥ１００）のロケーションをＧＭＬＣ２０６などのＧＭＬＣに要求するように構成され得る。その場合、ＧＭＬＣ２０６は、Ｅ−ＳＭＬＣ２０８などのＥ−ＳＭＬＣに要求を転送し得るＭＭＥ２０４などのＭＭＥに、ターゲットＵＥ（たとえば、ＵＥ１００）についてのロケーション要求を転送し得る。Ｅ−ＳＭＬＣ（たとえば、Ｅ−ＳＭＬＣ２０８）は、次いで、ターゲットＵＥについてのロケーション関係測定値を、ターゲットＵＥのためのサービングｅＮＢから、および／またはターゲットＵＥから取得し、ターゲットＵＥについてのロケーション推定値を算出または確認し、ＭＭＥおよびＧＭＬＣ（たとえば、ＭＭＥ２０４およびＧＭＬＣ２０６）を介してＬＲＦ２３０にロケーション推定値を返し得る。ＬＲＦ２３０は同様に、または代わりに、異なるターゲットＵＥ（たとえば、ＵＥ１００）のロケーションを、次に説明されるＳＬＰ２３２などのＳＵＰＬロケーションプラットフォーム（ＳＬＰ）に要求するように構成され得る。ＳＬＰ２３２は、ＳＵＰＬ測位センター（ＳＰＣ：SUPL Positioning Center）２３４とＳＵＰＬロケーションセンター（ＳＬＣ：SUPL Location Center）２３６とを含み得、ＵＥ１００などのＵＥのロケーションを取得するために、ロケーション情報をＬ���Ｆ２３０と通信し、オープンモバイルアライアンス（ＯＭＡ）によって定義されたＳＵＰＬユーザプレーンロケーションソリューションをサポートするように構成され得る。ＵＥ１００などのＵＥの測位をサポートするために、Ｅ−ＳＭＬＣ２０８およびＳＬＰ２３２はそれぞれ、３ＧＰＰ  ３６．３５５において定義されたＬＴＥ測位プロトコル（ＬＰＰ）および／またはＯＭＡによって定義されたＬＰＰ拡張（ＬＰＰｅ）プロトコルを使用し得、ＬＰＰおよび／またはＬＰＰｅメッセージが、Ｅ−ＳＭＬＣ２０８またはＳＬＰ２３２と、測位されているターゲットＵＥ（たとえば、ＵＥ１００）との間で交換される。Ｅ−ＳＭＬＣ２０８の場合には、ターゲットＵＥと交換されるＬＰＰおよび／またはＬＰＰｅメッセージは、ターゲットＵＥのためのサービングＭＭＥおよびサービングｅＮＢ（たとえば、ターゲットＵＥがＵＥ１００である場合、ｅＮＢ２０２およびＭＭＥ２０４）を介して、シグナリングとして転送され得る。ＳＬＰ２３２の場合には、ターゲットＵＥと交換されるＬＰＰおよび／またはＬＰＰｅメッセージは、ＰＤＮゲートウェイ、サービングゲートウェイ、およびターゲットＵＥのためのサービングｅＮＢ（たとえば、両方とも次に説明されるＰＤＮゲートウェイ２１８、サービングゲートウェイ２１６、およびターゲットＵＥがＵＥ１００である場合にはｅＮＢ２０２）を介して、ＩＰトランスポートを使用してデータとして転送され得る。
【００３１】
[0039]サービングゲートウェイ２１６は、データルーティングおよびフォワーディング、モビリティアンカリングなど、ＵＥのためのＩＰデータ転送に関係する様々な機能を実行し得る。パケットデータネットワーク（ＰＤＮ）ゲートウェイ２１８は、ＵＥのためのデータ接続性の維持、ＩＰアドレス割振りなどの様々な機能を実行し得る。ネットワーク２５０のためのＩＰマルチメディアサブシステム（ＩＭＳ：IP Multimedia Subsystem）２６０は、ボイスオーバーＩＰ（ＶｏＩＰ）呼およびＶｏＩＰ緊急呼などのＩＭＳサービスをサポートするための様々なネットワークエンティティを含み得る。ＩＭＳ２６０は、プロキシ呼セッション制御機能（Ｐ−ＣＳＣＦ：Proxy Call Session Control Function）２２０と、サービング呼セッション制御機能（Ｓ−ＣＳＣＦ：Serving Call Session Control Function）２２２と、緊急呼セッション制御機能（Ｅ−ＣＳＣＦ：Emergency Call Session Control Function）２２４と、ブレークアウトゲートウェイ制御機能２４０と、メディアゲートウェイ制御機能（ＭＧＣＦ：Media Gateway Control Function）２３８と、相互接続境界制御機能（ＩＢＣＦ：Interconnection Border Control Function）２２６と、ルーティング決定機能（ＲＤＦ：Routing Determination Function）２２８と、ＬＲＦ２３０とを含み得る。
【００３２】
[0040]動作において、ネットワーク２５０は、制御プレーンロケーションのためにＬＴＥインターフェースとＬＴＥプロトコルとを利用し得る。ＬＰＰｅプロトコルと組み合わされたＬＰＰプロトコルは、Ｅ−ＳＭＬＣ２０８によるＵＥ１００の測位のためにＵＥ１００とｅＮＢ２０２との間でＵｕインターフェースを介して使用され得る。ＬＰＰ／ＬＰＰｅメッセージは、３ＧＰＰ  ＴＳ２３．２７１および３６．３０５に記載されているように、ＵＥ１００のためのＭＭＥ２０４およびｅＮＢ２０２を介してＵＥ１００とＥ−ＳＭＬＣ２０８との間で（前に説明されたように）転送され得る。Ｅ−ＳＭＬＣ２０８は、信号測定値（たとえば、ＲＳＳＩ、ＲＴＴ、ＲＳＴＤ測定値）と、認識できるセルの識別情報とを、（たとえば、ＬＰＰ／ＬＰＰｅロケーション情報要求（Request Location Information）メッセージをＵＥ１００に送ることによって）要求するように構成され得、ＵＥ１００は、それらを（たとえば、ＬＰＰ／ＬＰＰｅロケーション情報提供メッセージをＥ−ＳＭＬＣ２０８に送ることによって）与えるように構成され得る。
【００３３】
[0041]代替実施形態では、Ｅ−ＳＭＬＣ２０８によるＵＥ１００の測位のために、（ｉ）ＬＰＰｅなしのＬＰＰプロトコル単独、または（ｉｉ）３ＧＰＰ３６．３３１において定義されたＲＲＣプロトコルのいずれかが、Ｕｕインターフェースを介してＵＥ１００とサービングｅＮＢ２０２との間で使用され得る。ＬＰＰ（代替（ｉ））の場合、３ＧＰＰ  ＴＳ２３．２７１および３６．３０５に記載されているように、ＬＰＰメッセージがＵＥ１００のためのＭＭＥ２０４およびサービングｅＮＢ２０２を介してＵＥ１００とＥ−ＳＭＬＣ２０８との間で転送され得る。ＲＲＣ（代替（ｉｉ））の場合、３ＧＰＰ  ＴＳ２３．２７１および３６．３０５に記載されているように、ＲＲＣメッセージがＵＥ１００とサービングｅＮＢ２０２との間で転送され得、（３ＧＰＰ  ＴＳ３６．４５５において定義された）ＬＴＥ測位プロトコルＡ（ＬＰＰａ）メッセージがＵＥ１００のためのＭＭＥ２０４を介してｅＮＢ２０２とＥ−ＳＭＬＣ２０８との間で転送され得る。一例では、Ｅ−ＳＭＬＣ２０８は、信号測定値（たとえば、ＲＳＴＤ測定値）と、認識できるセルの識別情報とを、（たとえば、ＬＰＰロケーション情報要求メッセージをＵＥ１００に送ることによって、またはＵＥ１００へのＲＲＣ要求メッセージをｅＮＢ２０２に送らせ得るＬＰＰａ要求メッセージをｅＮＢ２０２に送ることによって）要求するように構成され得、ＵＥ１００は、それらを（たとえば、ＬＰＰロケーション情報提供メッセージをＥ−ＳＭＬＣ２０８に送ることによって、またはＥ−ＳＭＬＣ２０８へのＬＰＰａ応答をｅＮＢ２０２に送らせるＲＲＣ応答をｅＮＢ２０２に送ることによって）与えるように構成され得る。
【００３４】
[0042]ＭＭＥ２０４が３ＧＰＰ制御プレーンソリューションを使用してＵＥ１００についてのロケーション情報をＥ−ＳＭＬＣ２０８に要求することを可能にするために、３ＧＰＰ  ＴＳ２９．１７１において定義されたロケーションサービス（ＬＣＳ：Location Service）アプリケーションプロトコル（ＬＣＳ−ＡＰ）が、ＳＬｓインターフェースを介してＭＭＥ２０４とＥ−ＳＭＬＣ２０８との間で使用され得る。ＧＭＬＣ２０６が３ＧＰＰ制御プレーンソリューションを使用してＵＥ１００についてのロケーション情報を要求および取得することを可能にするために、３ＧＰＰ  ＴＳ２９．１７２において定義された発展型パケットコア（ＥＰＣ）ＬＣＳプロトコル（ＥＬＰ）が、ＳＬｇインターフェースを介してＭＭＥ２０４とＧＭＬＣ２０６との間で使用され得る。
【００３５】
[0043]ネットワーク２５０はまた、ＳＵＰＬユーザプレーンロケーションのためのインターフェースとプロトコルとを利用し得る。ＯＭＡ  ＳＵＰＬユーザプレーンソリューションを使用するＵＥ１００の測位をサポートするために、ＯＭＡ−ＡＤ−ＳＵＰＬ−Ｖ２＿０において定義されたＬｕｐインターフェースが、（ＳＵＰＬ対応端末（ＳＥＴ）と呼ばれる）ＵＥ１００とＳＬＰ２３２との間で使用され得る。Ｌｕｐインターフェースは、ＵＥ１００とＳＬＰ２３２との間で、ＯＭＡ−ＴＳ−ＵＬＰ−Ｖ２＿０＿３において定義されたユーザプレーンロケーションプロトコル（ＵＬＰ：User Plane Location Protocol）メッセージの交換を可能にする。ＳＬＰ２３２は、ホームＳＬＰ（Ｈ−ＳＬＰ）であり、ＵＥのホームネットワーク中に存在し得（たとえば、ネットワーク２５０がＵＥ１００のためのホームネットワークである場合、ＵＥ１００にとって適用可能であり）、あるいは発見されたＳＬＰ（Ｄ−ＳＬＰ）または緊急ＳＬＰ（Ｅ−ＳＬＰ）であり得る。Ｄ−ＳＬＰは、任意のネットワーク中のＵＥ１００を測位するために使用され得（たとえば、ネットワーク２５０がＵＥ１００のためのホームネットワークでない場合、適用可能であり）、Ｅ−ＳＬＰは、ＵＥ１００が緊急呼（たとえば、ＩＭＳ２６０を介したｉ３  ＰＳＡＰ２４４またはレガシーＰＳＡＰ２４８へのＶｏＩＰ緊急呼）を確立しつつあるかまたは確立した場合、ＵＥ１００を測位するために使用され得る。ＳＬＰ２３２は、単一の物理ＳＬＰ２３２、または別個の物理エンティティの別個の論理機能であり得る、ＳＬＣ２３６およびＳＰＣ２３４に分割される。ＳＬＣ２３６は、ＵＥ１００とのＳＵＰＬセッションを確立および制御するように構成される。ＳＰＣ２３４は、ＵＥ１００のロケーションを取得するように構成される。その場合、ＵＬＰメッセージが制御およびサービス提供のために使用されるのか、または測位のために使用されるのかに応じて、任意のＵＬＰメッセージのためのエンドポイントは、ＳＬＣ２３６またはＳＰＣ２３４のいずれかである。（たとえば、ＬＴＥアクセスをもつ）ＵＥ１００の場合には、測位のために使用されるＵＬＰメッセージは、一般に、それぞれ１つまたは複数のＬＰＰメッセージをカプセル化する。各カプセル化されたＬＰＰメッセージは、１つのＬＰＰｅメッセージをさらにカプセル化することができ、それにより、前に説明されたようにＵＥ１００とＳＬＰ２３２との間でのＬＰＰおよび／またはＬＰＰ／ＬＰＰｅ測位プロトコルメッセージの交換を可能にする。精度向上型ロケーションをサポートするために、上記で説明された制御プレーンロケーションについて説明されたのと同じ情報（たとえば、セル識別情報およびＲＳＴＤ測定値）をＳＰＣ２３４が要求することと、ＵＥ１００が返すこととを可能にするために、ＬＰＰ／ＬＰＰｅが使用され得る。
【００３６】
[0044]一実施形態によれば、および以下でより詳細に説明するように、モバイルデバイス（たとえば、ＵＥ）は、サーバからダウンリンク地上測位方法のための測位支援データを備える１つまたは複数のメッセージを受信し得る。さらに、測位支援データは、複数のセルトランシーバを識別し、識別されたセルトランシーバを記述する追加のパラメータを指定し得る。モバイルデバイスは、次いで、識別されたセルトランシーバを記述する追加のパラメータに少なくとも部分的に基づいて信号を受信するために特定の処理を適用し得る。
【００３７】
[0045]一実施形態によれば、ＵＥは、たとえば、無線ソースに関連するセルＯＴＤＯＡのための基準セルまたは近隣セルを使用することによって、無線ソースに関与する複数の測定値を作成し得る。ロケーションサーバは、次いで、ＵＥから、基準信号時間差（ＲＳＴＤ）の測定値を備えるＯＴＤＯＡ測定値を受信することができる。３ＧＰＰ  ＴＳ  ３６．２１４において定義されているように、ＲＳＴＤ測定値は、ＵＥにおける基準セルからの信号（たとえば、ＰＲＳ）到着時間（ＴＯＡ）と、ＵＥにおける任意の近隣セルからのＴＯＡとの間の差の測定値である。
【００３８】
[0046]ＬＴＥアクセスと同期信号送信（たとえば、同期ＰＲＳ送信）とを採用するワイヤレス通信システム３００のための方法の一例が、図３に示されている。ワイヤレス通信システム３００は、ロケーションサーバ３０２と、アルマナック３０４とを含む。ロケーションサーバ３０２およびアルマナック３０４は、サービングネットワーク３０６の一部として含まれ得るか、あるいはサービングネットワーク３０６に接続されるか、またはサービングネットワーク３０６から到達可能であり得る。たとえば、サービングネットワーク３０６は、図２におけるネットワーク２５０に対応し得、ロケーションサーバ３０２は、ネットワーク２５０中のＥ−ＳＭＬＣ２０８またはＳＬＰ２３２に対応し得るか、あるいはスタンドアロンサービングモバイルロケーションセンター（ＳＡＳ）などの別のロケーションサーバであり得る。サービングネットワーク３０６は、ｅＮＢ  １  ３１０−１、ｅＮＢ  ２  ３１０−２、ｅＮＢ  Ｎ、３１０−Ｎ、およびｅＮＢ３１２などの１つまたは複数のアクセスポイントを含み得る。ｎを３とＮ−１との間として、ｅＮＢ  ｎ  ３１０−ｎなどの、図３に明示的に示されない他のｅＮＢがあり得る。アクセスポイントのうちのいずれか１つ（たとえば、ｅＮＢ３１２）が、図２におけるｅＮＢ２０２に対応し得る。アクセスポイントの各々は、１つまたは複数のアンテナに動作可能に接続され得る。アンテナは、それぞれ、ｅＮＢ３１０−１、３１０−２、．．．３１０−Ｎの場合にはＡ１、Ａ２．．．ＡＮを備え、ｅＮＢ３１２の場合にはＡＥを備える。アルマナック３０４は、サービングネットワーク３０６および／またはロケーションサーバ３０２に属し得、いくつかの実施形態では、ロケーションサーバ３０２の一部であり得る（たとえば、ロケーションサーバ３０２中の記憶媒体中に含まれていることがある）、データベース構造を表す。アルマナック３０４は、サービングネットワーク３０６内のアクセスポイントおよび基地局（たとえば、ｅＮＢ）およびアンテナについての識別情報とロケーションパラメータとを記憶するように構成され、本明細書で前に説明されたタイプのＢＳＡを備え得る。
【００３９】
[0047]同期信号送信の場合、サービングネットワーク３０６は、各アンテナＡ１、Ａ２、．．．、ＡＮおよびＡＥのために１つ、（図３において小さい円によって例示される）同期点のセットを採用することができる。各同期点は、すべての同期点に適用可能である共通の時間に厳密またはほぼ厳密に（たとえば、ＧＰＳ受信機を使用して）信号タイミングがそれにおいて同期される、１つのアンテナによって送信された任意の信号についての信号伝送経路に沿ったロケーションに対応する。ＬＴＥの場合、各信号についての同期は、各セルについて、および、セルが同じ信号の複製をブロードキャストするために複数の無線アンテナ（たとえば、ＤＡＳアンテナ素子またはＲＲＨ）を使用する場合は各セルにおける各無線アンテナについて、１０２４個のＬＴＥダウンリンクシステムフレームの新たな各セットの開始、各１０．０ｍｓＬＴＥ無線フレームの開始、または新たな各１．０ｍｓＬＴＥサブフレームのまさに開始を、同じ時間（たとえば、同じグローバル時間）に整合することができる。同期点は、ｅＮＢまたは中間信号増幅器から信号出力ジャックなどのアンテナに到達する前のある点を過ぎた、アンテナにおける信号送信、または信号伝搬に対応し得る。
【００４０】
[0048]図３は、Ａ１、Ａ２〜ＡＮとラベリングされた単一のアンテナを使用して単一のセルをそれぞれサポートする、１〜ＮとラベリングされたＮ個のｅＮＢ３１０−１、３１０−２、３１０−Ｎを示す。アンテナＡＥを使用する単一のセルに関連するｅＮＢ３１２も示されている。特定の実装形態では、アンテナＡ１〜ＡＮは、１または２ポートアンテナあるいは４ポートアンテナを備え得る。本明細書で言及される「アンテナポート」は、アンテナ要素において受信される無線周波数（ＲＦ）エネルギーを処理することおよび／またはアンテナ要素からＲＦエネルギーを送信するためのアンテナ要素の１つまたは複数の端子に電力信号を適用することを行うために、アンテナ要素の１つまたは複数の端子に接続された回路と組み合わせて、アンテナ要素を備える。特定の実装形態において採用されるように、ｅＮＢは、ＵＥにおいて受信されるべきダウンリンク信号の異なる成分を送信するために異なる個別のアンテナポートが使用され得るように、ダウンリンク信号を送信するために使用され得る複数のアンテナポートが採用され得る。ここで、ダウンリンク信号を送信するために使用される複数のアンテナポートのうちの個別のアンテナポートは、ダウンリンク信号の他の成分を送信するために他のアンテナポートによって採用されるアンテナ要素および対応する電力回路とは別個である、ダウンリンク信号の成分を送信するためのアンテナ要素および対応する電力回路を備える。一実施形態では、送信機によって使用される複数のアンテナポートは、対応する複数のアンテナ要素を通して、ダウンリンク信号の対応する複数の成分の送信の独立した制御を可能にし得る。
【００４１】
[0049]このコンテキストにおいて、「１または２アンテナポートセルトランシーバ」または「１または２アンテナポート構成を使用してダウンリンク信号を送信するセルトランシーバ」は、ダウンリンク信号の送信のために２つ以下のアンテナポートを採用するセルトランシーバ（たとえば、ｅＮＢ）を備える。したがって、１または２アンテナポートセルトランシーバあるいは１または２アンテナポート構成を使用するセルトランシーバによって送信されるダウンリンク信号は、ダウンリンク信号の個別に２つ以下の成分を備える。同様に、「４アンテナポートセルトランシーバ」または「４アンテナポート構成を使用してダウンリンク信号を送信するセルトランシーバ」は、ＵＥにおいて受信されるべきダウンリンク信号の対応する４つの個別に制御可能な成分を送信するために、４つのアンテナ要素および対応する回路を備える。例示的な一実装形態では、３ＧＰＰ  ３６．３５５  ＣＨ  ６．５．１．２に記載されているＯＴＤＯＡ支援データ要素（OTDOA Assistance Data Element）において定義されたパラメータ「ａｎｔｅｎｎａＰｏｒｔＣｏｎｆｉｇ」は、特定のセルトランシーバが、１または２アンテナポート構成、または４アンテナポート構成を有することを有すること示し得る。
【００４２】
[0050]以下で説明されるように、特定の実装形態では、ＵＥ１００は、ロケーションサーバ３０２から、たとえば、（たとえば、ｅＮＢ−１、ｅＮＢ−２、．．．、ｅＮＢＮおよびｅＮＢ３１２を含む）複数のセルトランシーバについての識別子を含む支援データを備えるメッセージを受信し得る。さらに、識別されたセルトランシーバのうちの１つまたは複数について、測位支援データはさらに、たとえば、セルトランシーバが、ＰＲＳを有するダウンリンク信号を１または２ポートアンテナ構成を使用して送信するのか、ＰＲＳを有するダウンリンク信号を４ポートアンテナ構成で送信するのかを含む、セルトランシーバの属性を指定し得る。ＵＥ１００は、次いで、特定のダウンリンク信号中のＰＲＳをどのように処理するかを決定し得る。
【００４３】
[0051]上記で説明されたような技法はロケーションサーバ３０２によって適用され得るが、ロケーションサーバ３０２および／または他のネットワークエンティティ（たとえば、基地局）が、近隣ｅＮＢのロケーション座標などの、ロケーション算出を実行することを可能にするための情報を（たとえば、ＢＳＡなどの支援データの形態で）ＵＥ１００に与える場合、技法はまた、ＵＥ１００においてそれのロケーションを計算するために使用され得ることに留意されたい。
【００４４】
[0052]一実施形態によれば、ｅＮＢ３１０は、１または２ポートアンテナ構成、あるいは４ポートアンテナ構成を使用してダウンリンク信号を送信し得る。ｅＮＢ３１０によって１または２ポートアンテナ構成を使用して送信されたダウンリンク信号中のＰＲＳは、１つの特定のシンボル符号化を有し、ｅＮＢ３１０によって４アンテナポート構成を使用して送信されたダウンリンク信号中のＰＲＳは、異なるシンボル符号化を有し得る。たとえば、図５および図６に示されているダウンリンク信号のシンボル符号化に示されているように、ノーマルサイクリックプレフィックス（ＮＣＰ）の場合、ｅＮＢによって１または２アンテナポート構成を使用して送信されるＰＲＳにシンボル＃８が割り当てられ、ｅＮＢによって４アンテナポート構成を使用して送信されるダウンリンクのためのＣＲＳにシンボル＃８が割り当てられ得る。同様に、図７および図８に示されているダウンリンク信号のシンボル符号化に示されているように、拡張サイクリックプレフィックス（ＥＣＰ）の場合、第１のｅＮＢによって１または２アンテナポート構成を使用して送信される第１のダウンリンク信号中のＰＲＳの一部分にシンボル＃７が割り当てられ、第２のｅＮＢによって４アンテナポート構成を使用して送信されるＣＲＳまたは第２のダウンリンク信号の一部分にシンボル＃７が割り当てられ得る。
【００４５】
[0053]いくつかの条件下では、第１のｅＮＢ３１０によって４アンテナポート構成を使用して送信された第１のダウンリンク信号の一部分は、第２のｅＮＢ３１０によって１または２アンテナポート構成を使用して送信された第２のダウンリンク信号中のＰＲＳの少なくとも一部分（たとえば、ＮＣＰを用いたＰＲＳのためのシンボル＃７、またはＰＲＳのためのシンボル＃８）をＵＥ１００において妨害し、またはそれに干渉し得る。さらに、いくつかの実装形態では、システム３００は、ダウンリンク信号を送信するために１または２アンテナポート構成を有するｅＮＢ３１０と、ダウンリンク信号を送信するために４アンテナポート構成を有するｅＮＢ３１０との混合を展開し得る。
【００４６】
[0054]４アンテナポート構成を使用して送信されたダウンリンク中のシンボル＃８と、１または２アンテナポート構成を使用して送信されたダウンリンク信号のシンボル＃８中のＰＲＳの一部分との衝突は、１または２アンテナポート構成を使用して送信されたＰＲＳのための使用可能ダイナミックレンジを２０ＭＨｚ  ＰＲＳ＿ＢＷについて２３．５ｄＢに限定し得る。さらに、１または２アンテナポート構成を使用して送信されたＰＲＳのためのシンボル＃８をブランキングすることの感度損失は、約０．５ｄＢであるとシミュレートされている。この特定の場合でのシンボル＃８のブランキングは、セルを４アンテナポートセルとして扱うことと等価であり得る。特定の実装形態において以下で説明されるように、干渉／妨害に対処するために、ＵＥ１００における、ｅＮＢ３１０によって１または２アンテナポート構成を使用して送信されたＰＲＳの処理が、ｅＮＢ３１０によって４アンテナポート構成を使用して送信された１つまたは複数のダウンリンク信号の存在下で、影響を及ぼされるか、または変更され得る。
【００４７】
[0055]図１〜図３をさらに参照しながら図４Ａを参照すると、ＬＰＰプロトコルを使用した測位をサポートするための例示的なプロシージャのメッセージフロー図４００が示されている。メッセージフロー中のエンティティは、ＵＥ４０２と、ロケーションサーバ４０４とを含む。ＵＥ４０２は、図１〜図３におけるＵＥ１００に対応し得、ロケーションサーバ４０４は、図２におけるＥ−ＳＭＬＣ２０８またはＳＬＰ２３２および／ならびに図３におけるロケーションサーバ３０２に対応し得る。図４Ａにおいて例示されるようなＵＥ４０２の測位は、ＵＥ４０２とロケーションサーバ４０４との間でのＬＰＰメッセージの交換を介してサポートされる。ＬＰＰメッセージ、およびそれらがサポートするプロシージャが、３ＧＰＰ  ＴＳ３６．３５５に記載されている。図４に示されているプロシージャは、ＵＥ４０２のための（または、ＵＥ４０２のユーザのための）ナビゲーションまたは方向探知サポートのような何らかのロケーション関係サービスをサポートするために、またはＵＥ４０２からＰＳＡＰへの緊急呼に関連する、ＰＳＡＰへのディスパッチ可能ロケーションのルーティングまたは提供のために、またはいくつかの他の理由のために、ＵＥのロケーションを推定するために使用され得る。最初に随意のステップとして、ＵＥ４０２は、ＬＰＰを使用してＵＥ４０２によってサポートされる位置方法とこれらの位置方法の特徴とを示すＬＰＰ能力提供（Provide Capabilities）メッセージ４０６をロケーションサーバ４０４に送ることによって、ＬＰＰプロトコルに対するそれの測位能力をロケーションサーバ４０４に与え得る。ロケーションサーバ４０４は、次いで、たとえば、メッセージ４０６中で送られたＵＥ４０２能力がＵＥ４０２によるＯＴＤＯＡのサポートを示すので、および／またはＵＥ４０２が現在、ロケーションサーバ４０４を含んでいるサービングネットワークへのＬＴＥワイヤレスアクセスを有し得るので、ＬＴＥアクセスのためのＯＴＤＯＡを使用してＵＥ４０２を測位することを決定し得る。ロケーションサーバ４０４は、次いで、ＬＰＰ支援データ提供メッセージ４０８をＵＥ４０２に送り得る。ＬＰＰ支援データ提供メッセージ４０８は、ＵＥ４０２がＯＴＤＯＡ  ＲＳＴＤ測定値を作成し、戻すことを可能にするためのＯＴＤＯＡ支援データを含み得、基準セルについてのグローバルＩＤと、基準セルについての物理セルＩＤと、周波数情報と、ＰＲＳ信号情報（たとえば、帯域幅、ＰＲＳ測位オケージョン（occasion）当たりのサブフレーム数、ＰＲＳ測位オケージョンの開始点および周期性、ミューティングシーケンス）とを含み得る、基準セルについての情報を含み得る。ＬＰＰ支援データ提供メッセージ４０８はまた、隣接セルについてのＯＴＤＯＡ支援データを含み得る。一例では、ＵＥ４０２が周波数間ＲＳＴＤ測定に対するサポートを示す場合、近隣セル支援データは、最高３つの周波数レイヤについて与えられ得る。メッセージ４０８中で各近隣セルについて与えられる情報は、基準セルについて与えられるものと同様であり得る（たとえば、セルＩＤと、セル周波数と、ＰＲＳ信号情報とを含み得る）。
【００４８】
[0056]特定の実装形態では、ＬＰＰ支援データ提供メッセージ４０８は、たとえば、複数のセルトランシーバの識別情報とセルトランシーバの属性を記述する他のパラメータとを含む測位支援データを備え得る。たとえば、ＬＰＰ支援データ提供メッセージ４０８は、識別されたセルトランシーバのうちのいずれが、１または２アンテナポートを使用してダウンリンク信号中でＰＲＳを送信しているかを示し、識別されたセルトランシーバのうちのいずれが、４アンテナポートを使用してダウンリンク信号を送信しているかを示し得る。以下で説明されるように、ＬＰＰ支援データ提供メッセージ４０８中の測位支援データは、ＵＥ４０２が、４アンテナポートを使用して送信された第２のダウンリンク信号の存在下で、１または２アンテナポートを使用して送信された第１のダウンリンク信号中のＰＲＳの処理を変更するか、またはそれに影響を及ぼすことを可能にし得る。
【００４９】
[0057]ロケーションサーバ４０４は、メッセージ４０８中で示された基準セルおよび近隣セルについてのＯＴＤＯＡ  ＲＳＴＤ測定値を要求するために、ＬＰＰロケーション情報要求メッセージ４１０をＵＥ４０２に送り得る。ＬＰＰロケーション情報要求メッセージ４１０は、現在のエリアにおける予想マルチパスおよび非見通し線（ＬＯＳ：line of sight）に関する情報をＵＥ４０２に与えるための環境特徴づけデータを含み得る。ＬＰＰロケーション情報要求メッセージ４１０はまた、（たとえば、ＵＥによって与えられるＲＳＴＤ測定値に基づくロケーション推定値の）所望の精度と、応答時間（たとえば、ＵＥ４０２によるＬＰＰロケーション情報要求メッセージ４１０の受信と、ＵＥ４０２によるＬＰＰロケーション情報提供メッセージ４１４の送信の時間との間の最大時間）とを含み得る。随意の周期報告期間も、メッセージ中に含まれ得る。
【００５０】
[0058]上記で指摘されたように、メッセージ４０８において受信された測位支援データは、ＯＴＤＯＡ測位のための基準セルとしてどのローカルセルが使用され得るかまたは使用され得ないかに関する指示を与え得る。代替的に、ＵＥ４０２は、メッセージ４０８において受信された支援データ中で識別された複数のセルの中から、ＯＤＴＯＡセッションのための基準セルを選択し得る。一例では、ＵＥ４０２は、基準セルとしてサービングセルを選択し得る。他の実施形態では、ＵＥ４０２は、複数の識別されたセルの中から基準セルを選択するために、追加のルールまたはヒューリスティックを適用し得る。
【００５１】
[0059]段階４１１において、複数のセルトランシーバから送信されたＰＲＳが、たとえば、到着時間を検出するために処理され得る。上記で指摘されたように、ＵＥ４０２は、いくつかのセルトランシーバが１または２アンテナポート構成を使用してＰＲＳをもつダウンリンク信号を送信し、他のセルトランシーバが４アンテナポート構成を使用してダウンリンクを送信する環境において、動作し得る。ここで、ＵＥ４０２は、４アンテナポート構成を使用してダウンリンク信号を送信する１つまたは複数の第２のセルトランシーバの存在下で、あるセルトランシーバによって１または２アンテナポート構成を使用して送信された第１のダウンリンク信号中のＰＲＳの処理に選択的に影響を及ぼし得る。
【００５２】
[0060]段階４１２において、ＵＥ４０２は、ＯＴＤＯＡ位置方法のためのＲＳＴＤ測定を実行するために、メッセージ４０８中で受信されたＯＴＤＯＡ測位支援情報と、メッセージ４１０中で受信された任意の追加のデータ（たとえば、所望のＱｏＳ）とを利用する。ＲＳＴＤ測定は、メッセージ４０８中で示された基準セルと近隣セルの各々との間で行われ得る。代替として、ＵＥ４０２は、（たとえば、メッセージ４０８中で示された基準セルから強い信号が受信されない場合、またはこの基準セルがＵＥ４０２のための現在のサービングセルでない場合）異なる基準セルを選び得る。ＵＥ４０２は、次いで、要求されたＲＳＴＤ測定値の一部または全部が段階４１２において取得された後、および最大応答（たとえば、メッセージ４１０中でロケーションサーバ４０４によって与えられた最大応答時間）が満了する前、または満了したとき、ＬＰＰロケーション情報提供メッセージ４１４をロケーションサーバ４０４に送る。ＬＰＰロケーション情報提供メッセージ４１４は、ＲＳＴＤ測定値が取得された時間と、ＲＳＴＤ測定値のための基準セルの識別情報とを含み得る。メッセージ４１４はまた、測定される近隣セルごとに、セルの識別情報（たとえば、物理セルＩＤ、グローバルセルＩＤ、および／またはセルキャリア周波数）と、セルについてのＲＳＴＤ測定値と、セルについてのＲＳＴＤ測定値の品質とを含む、近隣セル測定値リストを含み得る。近隣セル測定値リストは、１つまたは複数のセルについてのＲＳＴＤデータを含み得る。
【００５３】
[0061]図４Ｂは、ブロック４１１の特定の実装形態による、受信されたダウンリンク信号中のＰＲＳを処理する際にＵＥ４０２によって実行され得るアクションの流れ図である。ブロック４５２において、モバイルデバイスは、１または２アンテナポート構成を使用して第１のセルトランシーバから送信されたＰＲＳを備えるダウンリンク信号を受信する。上記で指摘されたように、１または２アンテナポート構成からのダウンリンク信号中で送信されると、第１のダウンリンク中で送信されたＰＲＳは、ノーマルサイクリックプレフィックス（ＮＣＰ）を用いる図５に示されているように、または拡張サイクリックプレフィックス（ＥＣＰ）を用いる図７に示されているように、周波数ビン（bins）中の特定の符号化またはシンボルマッピングを有し得る。
【００５４】
[0062]また、上記で説明されたように、モバイルデバイスは、ブロック４５２において、第２のセルトランシーバによって４アンテナポート構成を使用して送信された第２のダウンリンク信号の存在下で、第１のダウンリンク信号を受信する。第２のダウンリンク信号は、示された図６として、周波数ビン中のＮＣＰ  ＰＲＳおよびＣＲＳの特定の符号化またはシンボルマッピング、または図８に示されている周波数ビン中のＥＣＰ  ＰＲＳおよびＣＲＳの特定の符号化またはシンボルマッピングを有し得る。また、上記で説明されたように、少なくとも部分的に、第２のセルトランシーバによって４アンテナポート構成を使用して送信されるダウンリンク信号中のシンボル＃８として、送信されたＣＲＳは、受信機において、第１のセルトランシーバによって１または２アンテナポート構成を使用して送信されたＮＣＰ  ＰＲＳのシンボル＃８に干渉するか、またはそれを妨害し得る。同様に、少なくとも部分的に、第２のセルトランシーバによって４アンテナポート構成を使用して送信されるダウンリンク信号中のシンボル＃７として、送信されたＣＲＳは、受信機において、第１のセルトランシーバによって１または２アンテナポート構成を使用して送信されたＥＣＰ  ＰＲＳのシンボル＃７に干渉するか、またはそれを妨害し得る。
【００５５】
[0063]ブロック４５４において、モバイルデバイスは、４アンテナポート構成を使用して第２のダウンリンク信号を送信する１つまたは複数の第２のセルトランシーバの存在下で、ブロック４５２において受信された第１のダウンリンク信号中の第１のＰＲＳの処理に選択的に影響を及ぼす。このコンテキストにおいて、「処理に選択的に影響を及ぼす」は、いくつかの条件下で少なくとも１つの態様における処理結果を与えるように、受信機における信号の処理を変更することを意味する。例示的な一実装形態では、モバイルデバイスは、第１のＰＲＳが４アンテナポートを使用して送信されたダウンリンク信号中にあるかのように処理を（１または２アンテナポート構成を使用して送信された第１のダウンリンク信号中の）第１のＰＲＳに適用するによって、第１のＰＲＳの処理に影響を及ぼし得る。たとえば、第１のＰＲＳがＮＣＰ  ＰＲＳを備える場合、移動局は、第１のＰＲＳ中のシンボル＃８が、４アンテナポート構成を使用して送信されたダウンリンク信号中のシンボル＃８中の干渉するＣＲＳによって妨害され、または破損され得るとき、第１のＰＲＳ中のシンボル＃８をブランキングするかまたは無視するか、または場合によっては処理しないことがある。同様に、第１のＰＲＳがＥＣＰ  ＰＲＳを備える場合、モバイルデバイスは、第１のＰＲＳ中のシンボル＃７が、４アンテナポートを使用して送信されたダウンリンク信号のシンボル＃７中のＣＲＳによって妨害され、または破損され得るとき、第１のＰＲＳ中のシンボル＃７をブランキングするかまたは無視するか、または場合によっては処理しないことがある。実施形態上では、セルトランシーバが、４アンテナポート構成を有するものとして見なされるべきである場合、当該の第１のＰＲＳシンボル中のシンボル＃７は、ＰＲＳ処理において無視され得る。したがって、処理の前に１または２ポート構成の代わりに４ポート構成を有するものとして特定のセルトランシーバにフラグを付けることが、潜在的に干渉するシンボルを無視するという目的を達成し得る。しかしながら、当該の特定のセルトランシーバが１つのシンボルのかなりの部分だけ遅延されるかまたは進められる場合、シンボルは、他の潜在的に干渉するシンボルといくらかの重複を有し得ることが、指摘される。そのような場合、潜在的に有害なシンボルに対応するブランキングマスク（blanking-mask）が、処理の前に適用され得る。
【００５６】
[0064]代替実施形態では、ブロック４５４におけるモバイルデバイスは、２つの異なる結果を与える２つの異なる方法を使用して第１のＰＲＳを処理することと、次いで、（たとえば、ＲＳＴＤ測定値を取得するために）２つの異なる結果のうちの１つを選択することとによって、第１のＰＲＳ信号の処理に影響を及ぼし得る。たとえば、モバイルデバイスは、ダウンリンク信号が４アンテナポート構成を使用して送信されたかのように、第１の処理方法を受信されたダウンリンク信号中のＰＲＳに適用すること（たとえば、ＥＣＰをもつＰＲＳのためのシンボル＃７またはＮＣＰをもつＰＲＳのためのシンボル＃８をブランキングするかまたは無視するか、または場合によっては処理しないこと）によって、第１の測定値を取得し得る。モバイルデバイスはまた、ダウンリンク信号が１または２アンテナポート構成を使用して送信されたかのように、第２の処理方法を受信されたダウンリンク信号中のＰＲＳに適用することによって、第２の測定値を取得し得る。モバイルデバイスは、次いで、受信されたＰＲＳが４アンテナポート構成を使用して送信されたかのように受信されたＰＲＳが処理され続けられるべきなのか、受信されたＰＲＳが１または２アンテナポート構成を使用して送信されたかのように受信されたＰＲＳが処理され続けられるべきなのかを決定するために、第１の測定値および第２の測定値の、ＳＮＲなどの特性を比較し得る。別の特定の実施形態では、モバイルデバイスは、第２のダウンリンク信号の存在下で、１または２アンテナポートを使用して送信された第１のダウンリンク信号中のＰＲＳの処理に選択的に影響を及ぼし得、さらに、モバイルデバイスにおいてＰＲＳ信号に干渉する第２のダウンリンク信号のＣＲＳ部分の少なくとも一部分を消去することを備える。
【００５７】
[0065]このコンテキストにおいて、「第２のダウンリンク信号を送信する１つまたは複数の第２のセルトランシーバの存在」とは、検出可能であるのに十分な、または少なくとも１つの他のソースからのモバイルデバイスにおいて受信された別の信号の少なくとも一部分に干渉するか、またはそれを妨害するのに十分な電力で、第２のダウンリンクがモバイルデバイスにおいて受信されていることを意味する。一実施形態によれば、ブロック４５４は、（たとえば、ＬＰＰ支援データ提供メッセージ４０８中の測位支援データ中で与えられる）近隣リストに少なくとも部分的に基づいて、１つまたは複数の第２のセルトランシーバが存在し、４アンテナポート構成を使用して第２のダウンリンク信号を送信しているかどうかを決定し得る。一例では、ＬＰＰ支援データ提供メッセージ４０８中の近隣リストは、どの特定のセルトランシーバが、１または２アンテナポート構成を使用してダウンリンク信号を送信しており、どの特定のセルトランシーバが、４アンテナポート構成を使用してダウンリンク信号を送信しているかを識別し得る。
【００５８】
[0066]特定の実装形態では、ブロック４５４は、第２のダウンリンク信号を送信する１つまたは複数の第２のセルトランシーバの存在、すべてのシナリオにおいて第１のダウンリンク信号中のＰＲＳの処理に必ずしも影響を及ぼすとは限らないことがある。たとえば、ブロック４５４は、第１のダウンリンク信号中のＰＲＳの処理が、上記で説明されたように選択的に影響を及ぼされるべきかどうかを決定するために、４アンテナポート構成を使用して第２のダウンリンク信号を送信する第２のセルトランシーバの存在下での追加の基準を適用し得る。一実装形態では、ブロック４５４は、（セルトランシーバによって４アンテナポート構成を使用して送信された）第２のダウンリンク信号の少なくとも一部分が、１または２アンテナポート構成を使用してダウンリンク信号中で送信されたＰＲＳを妨害し、またはそれに干渉する可能性があるかどうかをさらに決定し得る。気づかれ得るように、図５〜図８のマップは、＃０〜＃１１の番号付けされた周波数ビンの各周波数ビンのためのシンボル位置＃０〜＃１１におけるシンボルの割振りを示す。したがって、マップ中の各周波数ビンは、各シンボル位置＃０〜＃１１におけるシンボルの特定の割振りを有し得る。たとえば、図５に示されている特定のセルトランシーバのためのＮＣＰ  ＰＲＳは、周波数ビン＃９は、シンボル位置＃４および＃１１においてシンボルＲ0、シンボル位置＃０および＃７においてシンボルＲ1、シンボル位置＃３および＃１０においてシンボルＲ6が割り振られ、シンボルが他のシンボル位置に割り振られないことを示す。周波数ビン＃８は、シンボルがシンボル位置＃０〜１１に割り振られないことを示す。一実施形態によれば、特定のセルトランシーバによって送信されたＰＲＳについての周波数ビンへのシンボルの特定の割振りは、３ＧＰＰ  ３６．２１１の第６．１０章に記載されているセルトランシーバに割り当てられたＰＣＩに少なくとも部分的に基づき得る。たとえば、異なるセルトランシーバが、図５のＮＣＰ  ＰＲＳのセルトランシーバのＰＣＩとは異なる割り当てられたＰＣＩを有するとき、異なるセルトランシーバによって送信されたＰＲＳは、周波数ビンだけ「シフト（shift）」または「循環（rotate）」されたシンボル割振りを有し得る。たとえば、異なるセルトランシーバによって送信されたＰＲＳについてのシンボル割振りは、（図５に示されている周波数ビン＃９の「シフト」されたシンボル割振りを有する）周波数ビン＃１０が、シンボル位置＃４および＃１１においてシンボルＲ0を、シンボル位置＃０および＃７においてシンボルＲ1を、シンボル位置＃３および＃１０においてシンボルＲ6を割り振られ、他のシンボル位置にシンボルが割り振られないように、図５の割振りから１周波数ビンだけシフトされ得る。同様に、異なるセルトランシーバによって送信されたＰＲＳのためのシンボル割振りは、（図５に示されている周波数ビン＃８の「シフト」されたシンボル割振りを有する）周波数ビン＃９がシンボル位置＃０〜１１においてシンボルを割り振られないように、図５の割振りから１周波数ビンだけシフトされ得る。図５に示されているマッピングの周波数ビン＃０〜７および１０におけるシンボル割振りは���それぞれ、周波数ビン＃１〜８および１１に、１周波数ビンだけ同様に「シフト」され得る。図５に示されているマッピングの周波数ビン＃１１におけるシンボル割振りは、周波数ビン＃０に「循環」され得る。したがって、一実施形態では、ブロック４５４はさらに、第２のセルトランシーバに関連するＰＣＩに少なくとも部分的に基づいて、４アンテナポート構成を使用して第２のダウンリンク信号を送信する第２のセルトランシーバ第１のダウンリンク信号の処理に影響を及ぼすべきかどうかを決定し得る。
【００５９】
[0067]第１のセルトランシーバによって１または２アンテナポート構成を使用して第１のダウンリンク信号中のノーマルサイクリックプレフィックスをもつＰＲＳが送信される、特定の一例では、ブロック４５４におけるモバイルデバイスはさらに、隣接セルトランシーバに割り当てられたＰＣＩに少なくとも部分的に基づいて、隣接セルトランシーバによって４アンテナポート構成を使用して送信された第２のダウンリンク信号が、ＰＲＳの受信に干渉する可能性があるかどうかを決定し得る。たとえば、ＰＣＩの間の差は、隣接セルトランシーバによって送信されたＰＲＳのマッピングにおける周波数ビンの間でのシンボル割振りが、互いに対して「循環」または「シフト」された程度を示し得る。ＮＣＰ１または２ポートアンテナ構成およびＮＣＰ４ポートアンテナ構成のための図５および図６について考える。図５のマッピングのシンボル位置＃８は、セルが周波数ビン＃５および＃１１中のＰＲＳを送信し得ることを示す。図６のＰＲＳマッピングは、周波数ビン＃０、＃３、＃６および＃９中のシンボル位置＃８におけるＣＲＳの送信を示す。したがって、（たとえば、ゼロのシンボル割振りの特定の循環またはシフトを用いた）図６に示されている４ポートセルトランシーバのマッピングにおけるＣＲＳは、図５に示されているモジュロを同じく用いた１または２ポートセルのＰＲＳとシンボル＃８中で衝突しないであろう。しかしながら、図５に示されている１または２ポートセルのシンボル＃８におけるＰＲＳマッピングは、図６に示されている、シンボル割振りをもつ、ただし、隣接セルトランシーバに割り当てられたＰＣＩの差に反映されるような２または５周波数ビンだけ「循環」または「シフト」された、マッピングを有する４ポートセルのシンボル＃８中のＣＲＳと衝突することになる。
【００６０】
[0068]第１のセルトランシーバによって１または２アンテナポート構成を使用して拡張サイクリックプレフィックスをもつ第１のダウンリンク信号ＰＲＳが送信される、別の特定の例では、モバイルデバイスは、隣接セルトランシーバが第１のセルトランシーバに対して−２または＋１のＰＣＩ−ｍｏｄ３差を有するかどうかをさらに決定することによって、隣接セルトランシーバによって４アンテナポート構成を使用して送信された第２のダウンリンク信号が、モバイルデバイスにおけるＰＲＳの受信に干渉する可能性があるかどうかをさらに決定し得る。たとえば、図７に示されているＥＣＰ１または２ポートアンテナ構成および図８に示されているＥＣＰ４ポートアンテナ構成のためのＰＲＳマッピングに従って隣接セルトランシーバが送信することについて考える。図７のマッピングのシンボル＃７位置は、周波数ビン＃４および＃１１中でのＰＲＳの送信を示す。図８のマッピングのシンボル位置＃７は、周波数ビン＃０、＃３、＃６および＃９中でのＰＲＳの送信を示す。したがって、周波数ビンの間のシンボル割振りの循環またはシフトのない図８に示されているマッピングに従う４ポートセルトランシーバの送信ＣＲＳは、図７に示されているマッピングに従う１または２ポートセルトランシーバのシンボル位置＃７におけるＰＲＳシンボルと衝突しない。ただし、図７に示されている１または２ポートセルのシンボル＃７中のＰＲＳは、図８に示されている、ただし隣接セルトランシーバのためのＰＣＩ間の差に反映されるような１または４周波数ビンだけシンボル割振りがシフトされた、マッピングに従う４ポートセルトランシーバのシンボル＃８中のＣＲＳに衝突することになる。
【００６１】
[0069]別の実装形態では、セルトランシーバの１または２アンテナポートによって送信された第１のダウンリンク信号中のＰＲＳの処理が影響を及ぼされるか、または変更されるべきであるかどうかをさらに決定するために、ブロック４５４は、モバイルデバイスにおける直接測定を使用して、（１または２アンテナポートを使用して送信された）第１のダウンリンク信号の第１の信号強度と、（異なるセルトランシーバによって４アンテナポートを使用して送信された）任意の第２のダウンリンク信号の第２の信号強度とを決定し得る。第２の信号強度が、第１の信号強度と比較して十分に高い場合、ＵＥは、上記で説明されたように、第１のＰＲＳが４アンテナポートを使用して送信されたかのように処理を第１のＰＲＳに適用し得る。
【００６２】
[0070]別の実施形態では、セルトランシーバの１または２アンテナポートによって送信された第１のダウンリンク信号中の第１のＰＲＳの処理が影響を及ぼされるか、または変更されるべきであるかどうかをさらに決定するために、ブロック４５４は、第１の算出ではＰＲＳが１または２アンテナポート構成を使用してダウンリンク信号中で送信されたかのように、および第２の算出ではＰＲＳが４アンテナポート構成を使用してダウンリンク信号中で送信されたかのように、複数のセルトランシーバからの受信されたＰＲＳを処理し得る。第１の算出または第２の算出のいずれかの結果が、第１の算出が最も良好な特性（たとえば、最も高いＳＮＲ）を与えるのか第２の算出が最も良好な特性を与えるのかに基づいて、ＲＴＳＤ測定値を取得するために選択され得る。
【００６３】
[0071]別の実施形態では、ロケーションサーバ４０４は、（１または２アンテナポート構成を使用してダウンリンク信号を送信するものと識別されるセルトランシーバから送信された）どのＰＲＳが、１または２アンテナポートセルトランシーバによって送信されたものとしてＵＥ４０２によって処理されるべきか、およびどのＰＲＳが４アンテナポートセルトランシーバによって送信されたものとしてＵＥ４０２によって処理されるべきかを決定するために、ブロック４５４に関して上記で説明された測位支援データおよび／または他のファクタのアプリオリ（a-priori）な分析を実行し得る。ＬＰＰ支援データ提供メッセージ４０８は、次いで、どのＰＲＳが、１または２アンテナポートセルトランシーバによって送信されたものとして処理されるべきか、およびどのＰＲＳが４アンテナポートセルトランシーバによって送信されたものとして処理されるべきかに関する指示をＵＥ４０２に与え得る。特定の実装形態では、ＬＰＰ支援データ提供メッセージ４０８は、４アンテナポート構成を使用してダウンリンク信号を送信する特定の隣接セルトランシーバを識別し、次いで、１または２アンテナポート構成からの送信されたダウンリンク信号中のＰＲＳの処理が上記で説明されたように変更されるべきであるかどうかを示すために、追加の識別子を与え得る。
【００６４】
[0072]図１〜図８をさらに参照しながら図９を参照すると、コンピュータシステム９００は、図４Ａおよび図４Ｂにおける要素のうちのいくつかの機能を少なくとも部分的に実装するためにおいて利用され得る。図９は、本明細書で説明されるような様々な他の実施形態によって提供される方法を実行することができ、および／またはモバイルデバイスまたは他のコンピュータシステムとして機能することができる、コンピュータシステム９００の一実施形態の概略図を提供する。たとえば、ロケーションサーバ３０２、ロケーションサーバ４０４、およびアルマナック３０４は、１つまたは複数のコンピュータシステム９００からなり得る。図９は、そのうちのいずれかまたはすべてが適宜に利用され得る、様々な構成要素の一般化された図を与える。図９は、したがって、個々のシステム要素が、比較的分離された方法または比較的より統合された方法で、どのように実装され得るかを概括的に示している。
【００６５】
[0073]バス９０５を介して電気的に結合され得る（または、適宜に、他の方法で通信していることがある）ハードウェア要素を備えるコンピュータシステム９００が示されている。ハードウェア要素は、限定はしないが、（デジタル信号処理チップ、グラフィックスアクセラレーションプロセッサなどの）１つまたは複数の汎用プロセッサおよび／または１つまたは複数の専用プロセッサを含む、１つまたは複数のプロセッサ９１０と、限定はしないが、マウス、キーボードなどを含むことができる１つまたは複数の入力デバイス９１５と、限定はしないが、ディスプレイデバイス、プリンタなどを含むことができる１つまたは複数の出力デバイス９２０とを含み得る。（１つまたは複数の）プロセッサ９１０は、たとえば、インテリジェントハードウェアデバイス、たとえば、Ｉｎｔｅｌ（登録商標）ＣｏｒｐｏｒａｔｉｏｎまたはＡＭＤ（登録商標）によって作られるものなどの中央処理装置（ＣＰＵ）、マイクロコントローラ、ＡＳＩＣなどを含むことができる。他のプロセッサタイプも利用され得る。
【００６６】
[0074]コンピュータシステム９００は、１つまたは複数の非一時的ストレージデバイス９２５をさらに含み得（および／または、それらと通信していることがあり）、非一時的ストレージデバイス９２５は、限定はしないが、ローカルストレージおよび／またはネットワークアクセス可能ストレージを備えることができ、ならびに／あるいは、限定はしないが、ディスクドライブと、ドライブアレイと、光ストレージデバイスと、プログラム可能、フラッシュアップデート可能などであり得る、ランダムアクセスメモリ（「ＲＡＭ」）および／または読取り専用メモリ（「ＲＯＭ」）などのソリッドステートストレージデバイスとを含むことができる。そのようなストレージデバイスは、限定はしないが、様々なファイルシステム、データベース構造などを含む、任意の適切なデータストアを実装するように構成され得る。
【００６７】
[0075]コンピュータシステム９００はまた、限定はしないが、モデム、ネットワークカード（ワイヤレスまたはワイヤード）、赤外線通信デバイス、（Ｂｌｕｅｔｏｏｔｈ短距離ワイヤレス通信技術トランシーバ／デバイス、８０２．１１デバイス、ＷｉＦｉデバイス、ＷｉＭａｘ（登録商標）デバイス、セルラー通信施設などの）ワイヤレス通信デバイスおよび／またはチップセットなどを含むことができる、通信サブシステム９３０を含み得る。通信サブシステム９３０は、データが、（一例を挙げると、以下で説明されるネットワークなどの）ネットワーク、他のコンピュータシステム、および／または本明細書で説明される任意の他のデバイスと交換されることを可能にし得る。多くの実施形態では、コンピュータシステム９００は、上記で説明されたように、ＲＡＭまたはＲＯＭデバイスを含むことができるワーキングメモリ９３５をここでのようにさらに備えることになる。
【００６８】
[0076]コンピュータシステム９００はまた、オペレーティングシステム９４０、デバイスドライバ、実行可能ライブラリ、および／または１つまたは複数のアプリケーションプログラム９４５などの他のコードを含む、ワーキングメモリ９３５内に現在位置するものとして示されている、ソフトウェア要素を備えることができ、１つまたは複数のアプリケーションプログラム９４５は、様々な実施形態によって与えられるコンピュータプログラムを備え得、ならびに／あるいは、本明細書で説明された、他の実施形態によって与えられる方法を実装するようにおよび／またはシステムを構成するように設計され得る。単に例として、本明細書で説明される１つまたは複数のプロセスは、コンピュータ（および／またはコンピュータ内のプロセッサ）によって実行可能なコードおよび／または命令として実装され得る。そのようなコードおよび／または命令は、説明された方法に従って１つまたは複数の動作を実行するように汎用コンピュータ（または他のデバイス）を構成しおよび／または適応させるために使用され得る。
【００６９】
[0077]これらの命令および／またはコードのセットは、上記で説明された（１つまたは複数の）ストレージデバイス９２５などのコンピュータ可読記憶媒体上に記憶され得る。場合によっては、記憶媒体は、コンピュータシステム９００などのコンピュータシステム内に組み込まれ得る。他の実施形態では、記憶媒体は、コンピュータシステムとは別個（たとえば、コンパクトディスクなどの取外し可能媒体）であり得、ならびに／あるいは、記憶媒体が、その上に記憶された命令／コードで汎用コンピュータをプログラムし、構成し、および／または適応させるために使用され得るようなインスタレーションパッケージで提供され得る。これらの命令は、コンピュータシステム９００によって実行可能である実行可能コードの形態をとり得、ならびに／あるいは、（たとえば、様々な一般に利用可能なコンパイラ、インストールプログラム、圧縮／解凍ユーティリティなどのいずれかを使用して）コンピュータシステム９００上でコンパイルおよび／またはインストールしたときに実行可能コードの形態をとる、ソースコードおよび／またはインストール可能コードの形態をとり得る。
【００７０】
[0078]特定の要望に従って、実質的な変形が行われ得る。たとえば、カスタマイズされたハードウェアも使用され得、ならびに／あるいは特定の要素が、ハードウェア、（アプレットなど、ポータブルソフトウェアを含む）ソフトウェア、またはその両方で実装され得る。さらに、ネットワーク入出力デバイスなど、他のコンピューティングデバイスへの接続が採用され得る。
【００７１】
[0079]コンピュータシステム９００は、本開示に従って方法を実行するために使用され得る。そのような方法のプロシージャの一部または全部は、プロセッサ９１０が、ワーキングメモリ９３５中に含まれている（オペレーティングシステム９４０、および／またはアプリケーションプログラム９４５などの他のコードに組み込まれ得る）１つまたは複数の命令の１つまたは複数のシーケンスを実行したことに応答して、コンピュータシステム９００によって実行され得る。そのような命令は、（１つまたは複数の）ストレージデバイス９２５のうちの１つまたは複数など、別のコンピュータ可読媒体からワーキングメモリ９３５に読み込まれ得る。単に例として、ワーキングメモリ９３５中に含まれている命令のシーケンスの実行は、（１つまたは複数の）プロセッサ９１０に、本明細書で説明された方法の１つまたは複数のプロシージャを実行することを行わせ得る。
【００７２】
[0080]本明細書で使用される「機械可読媒体」および「コンピュータ可読媒体」という用語は、機械を特定の様式で動作させるデータを与えることに関与する任意の媒体を指す。ＵＥ１００および／またはコンピュータシステム９００を使用して実装される一実施形態では、様々なコンピュータ可読媒体が、実行のために（１つまたは複数の）プロセッサ１１１、９１０に命令／コードを与えることに関与し得、ならびに／あるいはそのような命令／コードを（たとえば、信号として）記憶および／または搬送するために使用され得る。多くの実装形態では、コンピュータ可読媒体は物理および／または有形記憶媒体である。そのような媒体は、限定はしないが、不揮発性媒体、揮発性媒体、および伝送媒体を含む、多くの形態をとり得る。不揮発性媒体は、たとえば、（１つまたは複数の）ストレージデバイス１４０、９２５など、光ディスクおよび／または磁気ディスクを含む。揮発性媒体は、限定はしないが、ワーキングメモリ１４０、９３５などのダイナミックメモリを含む。伝送媒体は、限定はしないが、同軸ケーブル、バス１０１、９０５を備えるワイヤを含む銅線および光ファイバー、ならびに通信サブシステム９３０の様々な構成要素（および／または通信サブシステム９３０がそれによって他のデバイスとの通信を行う媒体）を含む。したがって、伝送媒体はまた、（限定はしないが、電波通信および赤外線データ通信中に生成されるものなど、電波、音響波および／または光波を含む）波の形態をとることができる。
【００７３】
[0081]物理および／または有形コンピュータ可読媒体の一般的な形態は、たとえば、フロッピー（登録商標）ディスク、フレキシブルディスク、ハードディスク、磁気テープ、または任意の他の磁気媒体、ＣＤ−ＲＯＭ、Ｂｌｕ−Ｒａｙ（登録商標）ディスク、任意の他の光媒体、パンチカード、紙テープ、穴のパターンをもつ任意の他の物理媒体、ＲＡＭ、ＰＲＯＭ、ＥＰＲＯＭ、ＦＬＡＳＨ−ＥＰＲＯＭ、任意の他のメモリチップまたはカートリッジ、以下で説明される搬送波、あるいはコンピュータが命令および／またはコードを読み取ることができる任意の他の媒体を含む。
【００７４】
[0082]コンピュータ可読媒体の様々な形態は、実行のために１つまたは複数の命令の１つまたは複数のシーケンスを（１つまたは複数の）プロセッサ１１１、９１０に搬送することに関与し得る。単に例として、命令は、初めに、リモートコンピュータの磁気ディスクおよび／または光ディスク上で搬送され得る。リモートコンピュータは、命令をそれのダイナミックメモリにロードし、その命令を、ＵＥ１００および／またはコンピュータシステム９００によって受信および／または実行されるように伝送媒体を介して信号として送り得る。電磁信号、音響信号、光信号などの形態であり得るこれらの信号は、すべて、本発明の様々な実施形態による、命令がその上で符号化され得る搬送波の例である。
【００７５】
[0083]上記で説明された方法、システム、およびデバイスは例である。様々な代替構成は、適宜に様々なプロシージャまたは構成要素を省略、置換、または追加し得る。たとえば、代替方法では、段階は、上記の説明とは異なる順序で実行され得、様々な段階が追加、省略、または組み合わせられ得る。また、いくつかの構成に関して説明された特徴は、様々な他の構成において組み合わせられ得る。構成の異なる態様および要素が、同様にして組み合わせられ得る。また、技術は発展し、したがって、要素の多くは例であり、本開示または特許請求の範囲を限定しない。
【００７６】
[0084]説明では、（実装形態を含む）例示的な構成の完全な理解が得られるように具体的な詳細が与えられた。ただし、構成は、これらの具体的な詳細なしに実施され得る。たとえば、構成を不明瞭にすることを避けるために、よく知られている回路、プロセス、アルゴリズム、構造、および技法は、不要な詳細なしに示されている。この説明は、例示的な構成を与えるにすぎず、特許請求の範囲の範囲、適用性、または構成を限定しない。そうではなく、構成の上記の説明は、説明された技法を実装することを可能にする説明を当業者に与えるものである。本開示の趣旨および範囲から逸脱することなく、要素の機能および構成において様々な変更が行われ得る。
【００７７】
[0085]構成は、流れ図またはブロック図として示されるプロセスとして説明されることがある。各々が、動作を逐次プロセスとして説明することがあるが、動作の多くは並行してまたは同時に実行され得る。さらに、動作の順序は並べ替えられ得る。プロセスは、図に含まれない追加のステップを有し得る。さらに、本方法の例は、ハードウェア、ソフトウェア、ファームウェア、ミドルウェア、マイクロコード、ハードウェア記述言語、またはそれらの任意の組合せによって実装され得る。ソフトウェア、ファームウェア、ミドルウェア、またはマイクロコードで実装されるとき、必要なタスクを実行するためのプログラムコードまたはコードセグメントは、記憶媒体などの非一時的コンピュータ可読媒体に記憶され得る。プロセッサは、説明されたタスクを実行し得る。
【００７８】
[0086]本明細書で使用される「モバイルデバイス」という用語は、変化する位置ロケーションを時々有し得るデバイスを指す。位置ロケーションの変化は、いくつかの例として、方向、距離、向きなどに対する変化を備え得る。特定の例では、モバイルデバイスは、セルラー電話、ワイヤレス通信デバイス、ユーザ機器、ラップトップコンピュータ、他のパーソナル通信システム（ＰＣＳ）デバイス、携帯情報端末（ＰＤＡ）、パーソナルオーディオデバイス（ＰＡＤ）、ポータブルナビゲーションデバイス、および／または他のポータブル通信デバイスを備え得る。モバイルデバイスは、機械可読命令によって制御される機能を実行するように適応されたプロセッサおよび／またはコンピューティングプラットフォームをも備え得る。
【００７９】
[0087]本明細書で説明された方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明された機能を実行するように設計された他のデバイスユニット、またはそれらの組合せ内に実装され得る。
【００８０】
[0088]アルゴリズム記述および／または記号表現は、信号処理および／または関連技術の当業者によって、自身の仕事の本質を他の当業者に伝達するために使用される技法の例である。アルゴリズムは、本明細書では、および一般には、所望の結果をもたらす自己無撞着な一連の演算および／または同様の信号処理であると考えられる。このコンテキストでは、演算および／または処理は物理量の物理的操作を伴う。一般に、必ずしもそうとは限らないが、そのような量は、信号測定値、テキスト、画像、ビデオ、オーディオなど、様々な形態のコンテンツを表す電子信号および／または状態として記憶、転送、合成、比較、処理、またはさもなければ操作されることが可能な電気および／または磁気信号および／または状態の形態をとり得る。主に一般的な用法という理由で、そのような物理的信号および／または物理的状態を、ビット、値、要素、記号、文字、特性、項、数、数字、メッセージ、フレーム、推定値、測定値、コンテンツなどと呼ぶことが時々便利であることがわかっている。ただし、これらおよび／または同様の用語のすべては、適切な物理量に関連付けられるべきであり、便利なラベルにすぎないことを理解されたい。別段に明記されていない限り、上記の説明から明らかなように、本明細書全体にわたって、「処理すること」、「算出すること」、「計算すること」、「決定すること」、「確立すること」、「取得すること」、「識別すること」、「選択すること」、「生成すること」などの用語を利用する説明は、専用コンピュータならびに／あるいは同様の専用コンピューティングおよび／またはネットワークデバイスなど、特定の装置のアクションおよび／またはプロセスを指すことがあることを諒解されたい。したがって、本明細書のコンテキストでは、専用コンピュータならびに／あるいは同様の専用コンピューティングおよび／またはネットワークデバイスは、専用コンピュータならびに／あるいは同様の専用コンピューティングおよび／またはネットワークデバイスのメモリ、レジスタ、および／または他のストレージデバイス、送信デバイス、および／またはディスプレイデバイス内の、電子的および／または磁気的な物理量として一般に表される信号および／または状態を処理、操作および／または変換することが可能である。この特定の特許出願のコンテキストでは、上述のように、「特定の装置」という用語は、プログラムソフトウェアからの命令に従って特定の機能を実行するようにプログラムされた後の汎用コンピュータなど、汎用コンピューティングおよび／またはネットワークデバイスを含み得る。
【００８１】
[0089]いくつかの状況では、バイナリ１からバイナリ０への、またはその逆の状態の変化など、メモリデバイスの動作は、たとえば、物理的変換などの変換を備え得る。特定のタイプのメモリデバイスでは、そのような物理的変換は、異なる状態または物への物品の物理的変換を備え得る。たとえば、限定はしないが、いくつかのタイプのメモリデバイスの場合、状態の変化は、電荷の累積および／または蓄積、あるいは蓄積された電荷の解放を伴い得る。同様に、他のメモリデバイスでは、状態の変化は、磁気方位の変換、および／あるいは、結晶状からアモルファスへの、またはその逆などの、分子構造の物理的変化および／または変換など、物理的変化を備え得る。さらに他のメモリデバイスでは、物理的状態の変化は、たとえば、量子ビット（キュビット）を伴い得る、重ね合わせ、絡み合いなど、量子力学的現象を伴い得る。上記は、メモリデバイスにおけるバイナリ１を形成するバイナリ０への、またはその逆の状態の変化が物理的変換などの変換を備え得る、すべての例の網羅的なリストであることを意図されない。むしろ、上記は例示的な例として意図される。
【００８２】
[0090]本明細書で説明されるワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。このコンテキストでは、「ワイヤレス通信ネットワーク」は、１つまたは複数のワイヤレス通信リンクを通して互いと通信することが可能な複数のデバイスまたはノードを備える。たとえば、図２に示されているように、ワイヤレス通信ネットワークは、２つまたはそれ以上のデバイスを備え得る。「ネットワーク」および「システム」という用語は、本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ（登録商標）」）などの１つまたは複数の無線アクセス技術（「ＲＡＴ」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（「ＧＳＭ」）、デジタルアドバンストモバイルフォンシステム（「Ｄ−ＡＭＰＳ」：Digital Advanced Mobile Phone System）、または何らかの他のＲＡＴを実装し得る。ＧＳＭおよびＷ−ＣＤＭＡは、「第３世代パートナーシッププロジェクト」（「３ＧＰＰ」）と称する団体からの文書に記載されている。ｃｄｍａ２０００は、「第３世代パートナーシッププロジェクト２」（「３ＧＰＰ２」）と称する団体からの文書に記載されている。３ＧＰＰおよび３ＧＰＰ２の文書は公的に入手可能である。４Ｇロングタームエボリューション（「ＬＴＥ」）通信ネットワークも、一態様において、請求する主題に従って実装され得る。ＷＬＡＮはＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明されたワイヤレス通信実装形態はまた、ＷＷＡＮ、ＷＬＡＮまたはＷＰＡＮの任意の組合せとともに使用され得る。
【００８３】
[0091]別の態様では、前述のように、ワイヤレス送信機またはアクセスポイントは、セルラー電話サービスを会社または家庭に延長するために利用されるフェムトセルを備え得る。そのような実装形態では、１つまたは複数のモバイルデバイスは、たとえば、符号分割多元接続（「ＣＤＭＡ」）セルラー通信プロトコルを介してフェムトセルと通信し得、フェムトセルは、インターネットなどの別のブロードバンドネットワークを介してより大きいセルラー電気通信ネットワークへのアクセスをモバイルデバイスに与え得る。
【００８４】
[0092]本明細書で説明された技法は、いくつかのＧＮＳＳおよび／またはＧＮＳＳの組合せのうちのいずれか１つを含むＳＰＳとともに使用され得る。さらに、そのような技法は、「スードライト（pseudolite）」として働く地上波送信機、またはＳＶとそのような地上波送信機との組合せを利用する測位システムとともに使用され得る。地上波送信機は、たとえば、ＰＮコードまたは（たとえば、ＧＰＳまたはＣＤＭＡセルラー信号と同様の）他のレンジングコードをブロードキャストする地上送信機を含み得る。そのような送信機は、遠隔受信機による識別を可能にするように一意のＰＮコードを割り当てられ得る。地上波送信機は、たとえば、トンネルの中、鉱山内、建築物の中、ビルの谷間または他の閉じられたエリア内などの、周回するＳＶからのＳＰＳ信号が利用できないことがある状況においてＳＰＳを補強するのに有用であり得る。スードライトの別の実装形態は無線ビーコンとして知られている。本明細書で使用される「ＳＶ」という用語は、スードライト、スードライトの等価物、および場合によっては他のものとして働く地上波送信機を含むものとする。本明細書で使用される「ＳＰＳ信号」および／または「ＳＶ信号」という用語は、スードライトまたはスードライトの等価物として働く地上波送信機を含む、地上波送信機からのＳＰＳ様の信号を含むものとする。
【００８５】
[0093]同様に、このコンテキストでは、「結合された（coupled）」、「接続された（connected）」という用語、および／または同様の用語が、一般的に使用される。これらの用語は類義語として意図されないことを理解されたい。むしろ、「接続された」は、一般的に、２つまたはそれ以上の構成要素が、たとえば、電気的に接触していることを含む、直接物理的に接触していることを示すために使用され、「結合された」は、一般的に、２つまたはそれ以上の構成要素が潜在的に、電気的に接触していることを含む、直接物理的に接触していることを意味するために使用されるが、「結合された」はまた、一般的に、２つまたはそれ以上の構成要素が必ずしも直接接触しているとは限らないが、とはいえ、協働および／または対話することが可能であることを意味するためにも使用される。結合されたという用語はまた、一般的に、たとえば、適切なコンテキストでは、間接的に接続されていることを意味すると理解される。
【００８６】
[0094]本明細書で使用される「および」、「または」、「および／または」という用語、および／または同様の用語は、そのような用語が使用される特定のコンテキストに少なくとも部分的に依存することも予想される様々な意味を含む。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。さらに、「１つまたは複数の」という用語および／または同様の用語は、単数形の任意の特徴、構造、および／または特性について説明するために使用され、ならびに／あるいは複数の特徴、構造および／または特性、ならびに／あるいは特徴、構造および／または特性の何らかの他の組合せについて説明するためにも使用される。同様に、「に基づいて」、「に少なくとも部分的に基づいて」という用語および／または同様の用語は、ファクタの排他的セットを表すことを必ずしも意図するものとは限らず、必ずしも明確に説明されるとは限らない追加のファクタの存在を考慮に入れることを意図するものとして理解される。もちろん、上記のすべてについて、説明および／または使用の特定のコンテキストは、引き出されるべき推論に関する有用なガイダンスを与える。以下の説明は１つまたは複数の例示的な例を与えるにすぎず、請求される主題はこれらの１つまたは複数の例に限定されないが、この場合も、説明および／または使用の特定のコンテキストは、引き出されるべき推論に関する有用なガイダンスを与えることに留意されたい。
【００８７】
[0095]このコンテキストでは、ネットワークデバイスという用語は、ネットワークを介しておよび／またはネットワークの一部として通信することが可能な任意のデバイスを指し、コンピューティングデバイスを備え得る。ネットワークデバイスは、ワイヤードおよび／またはワイヤレスネットワークを介してなど、信号（たとえば、信号パケットおよび／またはフレーム）を送信および／または受信することが可能であり得るが、ネットワークデバイスはまた、物理的メモリ状態としてメモリ中でなど、算術および／または論理演算を実行すること、信号を処理および／または記憶することが可能であり得、ならびに／あるいは、たとえば、様々な実施形態では、サーバとして動作し得る。サーバなどとして動作することが可能なネットワークデバイスは、例として、専用ラックマウント式サーバ、デスクトップコンピュータ、ラップトップコンピュータ、セットトップボックス、タブレット、ネットブック、スマートフォン、ウェアラブルデバイス、上記のデバイスの２つまたはそれ以上の特徴を組み合わせた集積デバイスなど、またはそれらの任意の組合せを含み得る。信号パケットおよび／またはフレームは、たとえば、ワイヤレスネットワークを介して結合されたワイヤレスデバイス間を含む、たとえば、サーバとクライアントデバイスとの間、および／または他のタイプのネットワークデバイス間などで交換され得る。サーバ、サーバデバイス、サーバコンピューティングデバイス、サーバコンピューティングプラットフォームという用語および／または同様の用語は互換的に使用されることに留意されたい。同様に、クライアント、クライアントデバイス、クライアントコンピューティングデバイス、クライアントコンピューティングプラットフォームという用語および／または同様の用語も互換的に使用される。いくつかの事例では、説明しやすいように、これらの用語は、「クライアントデバイス」または「サーバデバイス」に言及することによってなど、単数形で使用され得るが、説明は、適宜に、１つまたは複数のクライアントデバイスおよび／または１つまたは複数のサーバデバイスを包含するものとする。同様の方針に沿って、「データベース」への言及は、適宜に、１つまたは複数のデータベースおよび／またはそれの部分を意味すると理解される。
【００８８】
[0096]説明しやすいように、（ネットワーキングデバイスとも呼ばれる）ネットワークデバイスは、コンピューティングデバイスに関して実施および／または説明され得ることを理解されたい。しかしながら、この説明は、請求される主題が、コンピューティングデバイスおよび／またはネットワークデバイスなど、一実施形態に限定されると決して解釈されるべきではなく、代わりに、たとえば、１つまたは複数の例示的な例を含む、様々なデバイスまたはそれらの組合せとして実施され得ると解釈されるべきであることをさらに理解されたい。
【００８９】
[0097]本明細書全体にわたる一実装形態、実装形態、一実施形態、実施形態などへの言及は、特定の実装形態および／または実施形態に関して説明された特定の特徴、構造、および／または特性が、請求される主題の少なくとも１つの実装形態および／または実施形態に含まれることを意味する。したがって、たとえば、本明細書全体にわたる様々な箇所でのそのような句の出現は、必ずしも同じ実装形態または説明される特定の一実装形態を指すことを意図されるとは限らない。さらに、説明された特定の特徴、構造、および／または特性は、たとえば、１つまたは複数の実装形態では、様々な方法で組み合わせられることが可能であり、したがって、意図された特許請求の範囲内にあることを理解されたい。概して、もちろん、これらおよび他の問題はコンテキストによって異なる。したがって、説明および／または使用の特定のコンテキストは、引き出されるべき推論に関する有用なガイダンスを与える。
【００９０】
[0098]現在例示的な特徴と考えられることが例示され説明されたが、請求される主題から逸脱することなく、様々な他の変更が行われ得、均等物が代用され得ることが、当業者には理解されよう。さらに、本明細書で説明された中心概念から逸脱することなく、請求される主題の教示に特定の状況を適合させるための多くの変更が行われ得る。したがって、請求される主題は、開示された特定の例に限定されず、そのような請求される主題はまた、添付の特許請求の範囲内に入るすべての態様とそれらの均等物とを含み得るものとする。
【図１】
2019503148.tif 000003
【図２】
2019503148.tif 000004
【図３】
2019503148.tif 000005
【図４Ａ】
2019503148.tif 000006
【図４Ｂ】
2019503148.tif 000007
【図５】
2019503148.tif 000008
【図６】
2019503148.tif 000009
【図７】
2019503148.tif 000010
【図８】
2019503148.tif 000011
【図９】
2019503148.tif 000012
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
ユーザ機器における方法であって、
第１のセルトランシーバから第１のダウンリンク信号を受信することと、前記第１のセルトランシーバが、１または２アンテナポート構成を使用して前記第１のダウンリンク信号を送信し、前記第１のダウンリンク信号が測位基準信号（ＰＲＳ）を備える、
４アンテナポート構成を使用して第２のダウンリンクを送信する１つまたは複数の第２のセルトランシーバの存在を決定することと、
前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことによって、前記１つまたは複数の第２のセルトランシーバの前記決定された存在に応答して、前記第１のダウンリンク信号の前記ＰＲＳの処理に選択的に影響を及ぼすことと
を備える方法。
【請求項２】
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、請求項１に記載の方法。
【請求項３】
１つまたは複数の第２のセルトランシーバの前記存在を決定することが、支援データから取得された近隣リストに少なくとも部分的に基づいて、４アンテナポート構成を使用して第２のダウンリンクを送信する、請求項１に記載の方法。
【請求項４】
前記支援データが、受信されたＬＰＰ支援データ提供メッセージから取得される、請求項３に記載の方法。
【請求項５】
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に応答して、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことによって、前記処理を前記第１のダウンリンク信号の前記ＰＲＳに選択的に適用することと
をさらに備える、請求項１に記載の方法。
【請求項６】
前記比較は、前記第１の受信信号強度と前記第２の受信信号強度との間の差がしきい値を超えるかどうかを決定することを備える、請求項５に記載の方法。
【請求項７】
ユーザ機器（ＵＥ）であって、
ワイヤレストランシーバと、
前記ワイヤレストランシーバに結合されたプロセッサと
を備え、前記プロセッサは、
第１のセルトランシーバからの受信された第１のダウンリンク信号の少なくとも一部分を前記ワイヤレストランシーバにおいて取得することと、前記第１のセルトランシーバが、１または２アンテナポート構成を使用して前記第１のダウンリンク信号を送信し、前記第１のダウンリンク信号が測位基準信号（ＰＲＳ）を備える、
４アンテナポート構成を使用して第２のダウンリンク信号を送信する１つまたは複数のセルトランシーバの存在を決定することと、
前記４アンテナポートを使用して送信されるＰＲＳ中に含まれない前記第１のダウンリンク信号の前記ＰＲＳ中の少なくとも１つのシンボルを無視するか、ブランキングするか、または処理しないことによって、前記１つまたは複数の第２のセルトランシーバの前記決定された存在に応答して、前記第１のダウンリンク信号の前記ＰＲＳの処理に選択的に影響を及ぼすことと
を行うように構成された、
ＵＥ。
【請求項８】
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、請求項７に記載のＵＥ。
【請求項９】
前記プロセッサが、支援データから取得された近隣リストに少なくとも部分的に基づいて、前記４アンテナポート構成を使用して前記第２のダウンリンク信号を送信する前記１つまたは複数の第２のセルトランシーバの前記存在を決定するように構成された、請求項７に記載のＵＥ。
【請求項１０】
前記支援データが、受信されたＬＰＰ支援データ提供メッセージから取得される、請求項９に記載のＵＥ。
【請求項１１】
前記プロセッサは、
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に応答して、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことによって、前記処理を前記第１のダウンリンク信号の前記ＰＲＳに選択的に適用することと
を行うようにさらに構成された、請求項７に記載のＵＥ。
【請求項１２】
前記比較は、前記第１の受信信号強度と前記第２の受信信号強度との間の差がしきい値を超えるかどうかの決定を備える、請求項１１に記載のＵＥ。
【請求項１３】
ユーザ機器（ＵＥ）のプロセッサによって、
第１のセルトランシーバからの受信された第１のダウンリンク信号の少なくとも一部分を前記ＵＥにおいて取得することと、前記第１のセルトランシーバが、１または２アンテナポート構成を使用して前記第１のダウンリンク信号を送信し、前記第１のダウンリンク信号が第１の測位基準信号（ＰＲＳ）を備える、
４アンテナポート構成を使用して第２のダウンリンクを送信する１つまたは複数の第２のセルトランシーバの存在を決定することと、
前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことによって、前記１つまたは複数の第２のセルトランシーバの前記存在に応答して、前記第１のダウンリンク信号の前記ＰＲＳの処理に選択的に影響を及ぼすことと
を行うために実行可能である、その上に記憶されたコンピュータ可読命令を備える非一時的記憶媒体。
【請求項１４】
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、請求項１３に記載の非一時的記憶媒体。
【請求項１５】
前記１つまたは複数のセルトランシーバの前記存在を決定することが、支援データから取得された近隣リストに少なくとも部分的に基づいて、前記４アンテナポート構成を使用して前記第２のダウンリンク信号を送信する、請求項１３に記載の非一時的記憶媒体。
【請求項１６】
前記支援データが、受信されたＬＰＰ支援データ提供メッセージから取得される、請求項１５に記載の非一時的記憶媒体。
【請求項１７】
前記命令は、前記プロセッサによって、
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に応答して、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことによって、前記処理を前記第１のダウンリンク信号の前記ＰＲＳに選択的に適用することと
を行うためにさらに実行可能である、請求項１３に記載の非一時的記憶媒体。
【請求項１８】
前記比較は、前記第１の受信信号強度と前記第２の受信信号強度との間の差がしきい値を超えるかどうかの決定を備える、請求項１７に記載の非一時的記憶媒体。
【請求項１９】
ユーザ機器（ＵＥ）であって、
第１のセルトランシーバから第１のダウンリンク信号を受信するための手段と、前記第１のセルトランシーバが、１または２アンテナポート構成を使用して前記第１のダウンリンク信号を送信し、前記第１のダウンリンク信号が第１の測位基準信号（ＰＲＳ）を備える、
４アンテナポート構成を使用して第２のダウンリンク信号を送信する１つまたは複数の第２のセルトランシーバの存在を決定するための手段と、
前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことによって、前記１つまたは複数の第２のセルトランシーバの前記決定された存在に応答して、前記第１のダウンリンク信号の前記ＰＲＳの処理に選択的に影響を及ぼすための手段と
を備えるＵＥ。
【請求項２０】
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、請求項１９に記載のＵＥ。
【請求項２１】
前記１つまたは複数の第２のセルトランシーバの前記存在を決定するための前記手段が、支援データから取得された近隣リストに少なくとも部分的に基づいて、前記４アンテナポート構成を使用して前記第２のダウンリンク信号を送信する、請求項１９に記載のＵＥ。
【請求項２２】
前記支援データが、受信されたＬＰＰ支援データ提供メッセージから取得される、請求項２１に記載のＵＥ。
【請求項２３】
第１の受信信号強度を決定するための手段と、ここにおいて、前記第１の受信信号強度が、前記第１のダウンリンク信号から決定される、
第２の受信信号強度を決定するための手段と、ここにおいて、前記第２の受信信号強度が、前記１つまたは複数の第２のセルトランシーバから受信された信号から決定される、
前記第１の受信信号強度と前記第２の受信信号強度との比較に少なくとも部分的に応答して、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことによって、前記処理を前記第１のダウンリンク信号の前記ＰＲＳに選択的に適用するための手段と
をさらに備える、請求項１９に記載のＵＥ。
【請求項２４】
前記比較は、前記第１の受信信号強度と前記第２の受信信号強度との間の差がしきい値を超えるかどうかの決定を備える、請求項２３に記載のＵＥ。
【手続補正２】
【補正対象書類名】明細書
【補正対象項目名】００９０
【補正方法】変更
【補正の内容】
【００９０】
[0098]現在例示的な特徴と考えられることが例示され説明されたが、請求される主題から逸脱することなく、様々な他の変更が行われ得、均等物が代用され得ることが、当業者には理解されよう。さらに、本明細書で説明された中心概念から逸脱することなく、請求される主題の教示に特定の状況を適合させるための多くの変更が行われ得る。したがって、請求される主題は、開示された特定の例に限定されず、そのような請求される主題はまた、添付の特許請求の範囲内に入るすべての態様とそれらの均等物とを含み得るものとする。
以下に本願の出願当初の特許請求の範囲に記載された発明を付記する。
［Ｃ１］
ユーザ機器における方法であって、
第１のセルトランシーバから第１のダウンリンク信号を受信することと、前記第１のセルトランシーバが、１または２アンテナポート構成を使用して前記第１のダウンリンク信号を送信し、前記第１のダウンリンク信号が測位基準信号（ＰＲＳ）を備える、
４アンテナポート構成を使用して第２のダウンリンク信号を送信する１つまたは複数の第２のセルトランシーバの存在下で、前記第１のダウンリンク信号の前記ＰＲＳの処理に選択的に影響を及ぼすことと
を備える方法。
［Ｃ２］
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、Ｃ１に記載の方法。
［Ｃ３］
前記第１のダウンリンク信号の前記ＰＲＳの処理に選択的に影響を及ぼすことは、前記第１のダウンリンク信号の前記ＰＲＳが前記４アンテナポート構成を使用して送信されたかのように処理を前記第１のダウンリンク信号の前記ＰＲＳに適用することを備える、Ｃ１に記載の方法。
［Ｃ４］
前記第１のダウンリンク信号の前記ＰＲＳが前記４アンテナポート構成を使用して送信されたかのように前記処理を前記第１のダウンリンク信号の前記ＰＲＳに適用することが、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことをさらに備える、Ｃ３に記載の方法。
［Ｃ５］
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に基づいて、前記第１のダウンリンク信号の前記ＰＲＳが前記４アンテナポート構成を使用してダウンリンク信号中で送信されたかのように前記処理を前記第１のダウンリンク信号の前記ＰＲＳに選択的に適用することと
をさらに備える、Ｃ１に記載の方法。
［Ｃ６］
前記比較は、前記第１の受信信号強度と前記第２の受信信号強度との間の差がしきい値を超えるかどうかを決定することを備える、Ｃ５に記載の方法。
［Ｃ７］
ユーザ機器（ＵＥ）であって、
ワイヤレストランシーバと、
前記ワイヤレストランシーバに結合されたプロセッサと
を備え、前記プロセッサは、
第１のセルトランシーバからの受信された第１のダウンリンク信号の少なくとも一部分を前記ワイヤレストランシーバにおいて取得することと、前記第１のセルトランシーバが、１または２アンテナポート構成を使用して前記第１のダウンリンク信号を送信し、前記第１のダウンリンク信号が測位基準信号（ＰＲＳ）を備える、
４アンテナポート構成を使用して第２のダウンリンク信号を送信する１つまたは複数の第２のセルトランシーバの存在下で、前記第１のダウンリンク信号の前記ＰＲＳの処理に選択的に影響を及ぼすことと
を行うように構成された、
ＵＥ。
［Ｃ８］
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、Ｃ７に記載のＵＥ。
［Ｃ９］
前記プロセッサは、前記第１のダウンリンク信号の前記ＰＲＳが前記４アンテナポート構成を使用して送信されたかのように処理を前記第１のダウンリンク信号の前記ＰＲＳに適用することによって、前記第１のダウンリンク信号の前記ＰＲＳの処理に選択的に影響を及ぼすように構成された、Ｃ７に記載のＵＥ。
［Ｃ１０］
前記第１のダウンリンク信号の前記ＰＲＳが前記４アンテナポート構成を使用して送信されたかのように前記処理を前記第１のダウンリンク信号の前記ＰＲＳに適用することが、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことをさらに備える、Ｃ９に記載のＵＥ。
［Ｃ１１］
前記プロセッサは、
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に基づいて、前記第１のダウンリンク信号の前記ＰＲＳが前記４アンテナポート構成を使用してダウンリンク信号中で送信されたかのように前記処理を前記第１のダウンリンク信号の前記ＰＲＳに選択的に適用することと
を行うようにさらに構成された、Ｃ７に記載のＵＥ。
［Ｃ１２］
前記比較は、前記第１の受信信号強度と前記第２の受信信号強度との間の差がしきい値を超えるかどうかの決定を備える、Ｃ１１に記載のＵＥ。
［Ｃ１３］
ユーザ機器（ＵＥ）のプロセッサによって、
第１のセルトランシーバからの受信された第１のダウンリンク信号の少なくとも一部分を前記ＵＥにおいて取得することと、前記第１のセルトランシーバが、１または２アンテナポート構成を使用して前記第１のダウンリンク信号を送信し、前記第１のダウンリンク信号が第１の測位基準信号（ＰＲＳ）を備える、
４アンテナポート構成を使用して第２のダウンリンク信号を送信する１つまたは複数の第２のセルトランシーバの存在下で、前記第１のダウンリンク信号の前記ＰＲＳの処理に選択的に影響を及ぼすことと
を行うために実行可能である、その上に記憶されたコンピュータ可読命令を備える非一時的記憶媒体。
［Ｃ１４］
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、Ｃ１３に記載の非一時的記憶媒体。
［Ｃ１５］
前記命令は、前記プロセッサによって、前記第１のダウンリンク信号の前記ＰＲＳが前記４アンテナポート構成を使用して送信されたかのように処理を前記第１のダウンリンク信号の前記ＰＲＳに適用することによって、前記第１のダウンリンク信号の前記ＰＲＳの処理に選択的に影響を及ぼすためにさらに実行可能である、Ｃ１３に記載の非一時的記憶媒体。
［Ｃ１６］
前記命令は、前記第１のダウンリンク信号の前記ＰＲＳが前記４アンテナポート構成を使用して送信されたかのように前記処理を前記第１のダウンリンク信号の前記ＰＲＳに適用するためにさらに実行可能であり、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないことをさらに備える、Ｃ１５に記載の非一時的記憶媒体。
［Ｃ１７］
前記命令は、前記プロセッサによって、
第１の受信信号強度を決定することと、ここにおいて、前記第１の受信信号強度が、前記第１のダウンリンク信号から決定される、
第２の受信信号強度を決定することと、ここにおいて、前記第２の受信信号強度が、前記１つまたは複数の第２のセルトランシーバから受信された信号から決定される、
前記第１の受信信号強度と前記第２の受信信号強度との比較に少なくとも部分的に基づいて、前記第１のダウンリンク信号の前記ＰＲＳが前記４アンテナポート構成を使用してダウンリンク信号中で送信されたかのように前記処理を前記第１のダウンリンク信号の前記ＰＲＳに選択的に適用することと
を行うためにさらに実行可能である、Ｃ１３に記載の非一時的記憶媒体。
［Ｃ１８］
前記比較は、前記第１の受信信号強度と前記第２の受信信号強度との間の差がしきい値を超えるかどうかの決定を備える、Ｃ１７に記載の非一時的記憶媒体。
［Ｃ１９］
ユーザ機器（ＵＥ）であって、
第１のセルトランシーバから第１のダウンリンク信号を受信するための手段と、前記第１のセルトランシーバが、１または２アンテナポート構成を使用して前記第１のダウンリンク信号を送信し、前記第１のダウンリンク信号が第１の測位基準信号（ＰＲＳ）を備える、
４アンテナポート構成を使用して第２のダウンリンク信号を送信する１つまたは複数の第２のセルトランシーバの存在下で、前記第１のダウンリンク信号の前記ＰＲＳの処理に選択的に影響を及ぼすための手段と
を備えるＵＥ。
［Ｃ２０］
前記第２のダウンリンク信号が、前記第１のダウンリンク信号の前記ＰＲＳの少なくとも１つのシンボルに干渉する少なくとも１つのシンボルをもつセル固有基準信号（ＣＲＳ）を備える、Ｃ１９に記載のＵＥ。
［Ｃ２１］
前記第１のダウンリンク信号の前記ＰＲＳの処理に選択的に影響を及ぼすための前記手段は、前記第１のダウンリンク信号の前記ＰＲＳが前記４アンテナポート構成を使用して送信されたかのように処理を前記第１のダウンリンク信号の前記ＰＲＳに適用するための手段をさらに備える、Ｃ１９に記載のＵＥ。
［Ｃ２２］
前記第１のダウンリンク信号の前記ＰＲＳが前記４アンテナポート構成を使用して送信されたかのように前記処理を前記第１のダウンリンク信号の前記ＰＲＳに適用するための前記手段が、前記４アンテナポート構成を使用して送信されるＰＲＳ中に含まれない前記第１のダウンリンク信号の前記ＰＲＳ中の少なくとも１つのシンボルを無視するか、ブランキングするか、または処理しないための手段をさらに備える、Ｃ２１に記載のＵＥ。
［Ｃ２３］
第１の受信信号強度を決定するための手段と、ここにおいて、前記第１の受信信号強度が、前記第１のダウンリンク信号から決定される、
第２の受信信号強度を決定するための手段と、ここにおいて、前記第２の受信信号強度が、前記１つまたは複数の第２のセルトランシーバから受信された信号から決定される、  前記第１の受信信号強度と前記第２の受信信号強度との比較に少なくとも部分的に基づいて、前記第１のダウンリンク信号の前記ＰＲＳが前記４アンテナポート構成を使用してダウンリンク信号中で送信されたかのように前記処理を前記第１のダウンリンク信号の前記ＰＲＳに選択的に適用するための手段と
をさらに備える、Ｃ１９に記載のＵＥ。
［Ｃ２４］
前記比較は、前記第１の受信信号強度と前記第２の受信信号強度との間の差がしきい値を超えるかどうかの決定を備える、Ｃ２３に記載のＵＥ。
【国際調査報告】
2019503148.tif 000013
2019503148.tif 000014
2019503148.tif 000015